(57)【要約】一例となる無線通信デバイスは、メモリおよび無線通信インタフェースに接続されたプロセッサを具備する。プロセッサは、時間インデックスの第１セットから第１時間インデックスで第１送信シンボルを送信し、時間インデックスの第１セットからの第１時間インデックスと異なる第２時間インデックスで第２送信シンボルを送信し、第１送信シンボルの一部分および第２送信シンボルの一部分は同じデータを含む。時間インデックスの第１セットは第１デバイスＩＤに関連し、第２デバイスＩＤに関連する時間インデックスの第２セットに含まれない少なくとも１つの時間インデックスを含み、第２セットは第１セットに含まれない少なくとも１つの時間インデックスを含む。
2010533427.tif 000002
【特許請求の範囲】
【請求項１】
メモリおよび無線通信インタフェースに接続されたプロセッサと、
時間インデックスの第１セットから第１時間インデックスで第１送信シンボルを送信する前記プロセッサと、
時間インデックスの前記第１セットから第２時間インデックスで第２送信シンボルを送信する前記プロセッサと、を具備し、
前記第２時間インデックスは前記第１時間インデックスとは異なり、前記第１送信シンボルの一部分および前記第２送信シンボルの一部分は同じデータ情報を含む無線通信デバイス。
【請求項２】
時間インデックスの前記第１セットは、第１デバイスＩＤに関連し、前記第１セットに含まれる前記第２時間インデックスは、第２デバイスＩＤに関連する時間インデックスの第２セットに含まれず、前記第２セットは前記第１セットに含まれない少なくとも１つの時間インデックスを含む請求項１の無線通信デバイス。
【請求項３】
時間インデックスの前記第１セットに前記第１デバイスＩＤをマッピングし、時間インデックスの第２セットに前記第２デバイスＩＤをマッピングする前記メモリに格納されたテーブルをさらに具備する請求項２の無線通信デバイス。
【請求項４】
前記プロセッサは、時間インデックスの前記第１セットに前記第１デバイスＩＤをマッピングし、時間インデックスの前記第２セットに前記第２デバイスＩＤをマッピングする機能を実行する請求項２の無線通信デバイス。
【請求項５】
前記プロセッサは、少なくとも前記第１および前記第２デバイスＩＤの１つであるべき現時点での前記デバイスによって用いられる現在デバイスＩＤを決定し、時間インデックスの前記第１および前記第２セットの少なくとも１つに前記現在デバイスＩＤをマッピングし、時間インデックスの前記マッピングされたセットから時間インデックスで送信シンボルを送信するモジュールを実行する請求項３の無線通信デバイス。
【請求項６】
時間インデックスの前記第１セットおよび時間インデックスの前記第２セットが同じサイズである請求項２の無線通信デバイス。
【請求項７】
時間インデックスの前記第１セットは、前記第１および前記第２送信シンボルを通信するための送信ブロックインターバルのサイズの半分に最も近い整数と等しいサイズを有する請求項２の無線通信デバイス。
【請求項８】
前記第１送信シンボルは、ＣＤＭＡ波形およびＯＦＤＭ波形のうちの１つにおいて変調される請求項１の無線通信デバイス。
【請求項９】
前記第１送信シンボルは、ＣＤＭＡ波形において変調され、時間インデックスの前記第１セットの前記サイズは、デバイスＩＤ空間のサイズと、ある時間インデックスにおいてサポート可能なＣＤＭＡ波形の最大数と、によって決定される請求項１の無線通信デバイス。
【請求項１０】
前記第１送信シンボルは、ＯＦＤＭ波形において変調され、時間インデックスの前記第１セットの前記サイズは、少なくともデバイスＩＤ空間のサイズと、前記システムにおいてサポート可能な周波数インデックスの前記最大数と、によって決定される請求項１の無線通信デバイス。
【請求項１１】
前記プロセッサはさらに、第１周波数インデックスで前記第１送信シンボルを送信し、前記第１周波数インデックスと異なる第２周波数インデックスで前記第２送信シンボルを送信する請求項１の無線通信デバイス。
【請求項１２】
前記第１周波数インデックス＝ｉ、前記第１時間インデックス＝ｊ、前記第２周波数インデックス＝ｊ、前記第１時間インデックス＝ｉである請求項１０の無線通信デバイス。
【請求項１３】
前記第１送信シンボルおよび前記第２送信シンボルは、ビーコン信号およびユーザスケジューリング信号のうちの１つである請求項１の無線通信デバイス。
【請求項１４】
時間インデックスの第１セットから第１時間インデックスで第１送信シンボルを送信すること、
時間インデックスの前記第１セットからの第２時間インデックスで第２送信シンボルを送信すること、を具備し、
前記第２時間インデックスは前記第１時間インデックスとは異なり、前記第１送信シンボルの一部分および前記第２送信シンボルの一部分は同じデータ情報を含むポータブル無線端末を操作する方法。
【請求項１５】
時間インデックスの前記第１セットは、第１デバイスＩＤに関連し、前記第１セットに含まれる前記第２時間インデックスは、第２デバイスＩＤに関連する時間インデックスの第２セットに含まれず、前記第２セットは前記第１セットに含まれない少なくとも１つの時間インデックスを含む請求項１４の方法。
【請求項１６】
時間インデックスの前記第１セットに前記第１デバイスＩＤをマッピングし、時間インデックスの第２セットに前記第２デバイスＩＤをマッピングするテーブルを格納することをさらに具備する請求項１５の方法。
【請求項１７】
時間インデックスの前記第１セットに前記第１デバイスＩＤをマッピングし、時間インデックスの前記第２セットに前記第２デバイスＩＤをマッピングする機能を実行することをさらに具備する請求項１５の方法。
【請求項１８】
時間インデックスの前記第１セットおよび時間インデックスの前記第２セットが同じサイズである請求項１５の方法。
【請求項１９】
時間インデックスの前記第１セットは、前記第１および前記第２送信シンボルを通信するための送信ブロックインターバルのサイズの半分に最も近い整数と等しいサイズを有する請求項１５の方法。
【請求項２０】
前記第１送信シンボルは、ＣＤＭＡ波形において変調され、時間インデックスの前記第１セットの前記サイズは、デバイスＩＤ空間のサイズと、ある時間インデックスにおいてサポート可能なＣＤＭＡ波形の前記最大数と、によって決定される請求項１４の方法。
【請求項２１】
前記第１送信シンボルは、ＯＦＤＭ波形において変調され、時間インデックスの前記第１セットの前記サイズは、少なくともデバイスＩＤ空間のサイズと、前記システムにおいてサポート可能な周波数インデックスの最大数と、によって決定される請求項１４の方法。
【請求項２２】
第１周波数インデックスで前記第１送信シンボルを送信すること、
前記第１周波数インデックスとは異なる第２周波数インデックスで前記第２送信シンボルを送信することをさらに具備する請求項１４の方法。
【請求項２３】
前記第１周波数インデックス＝ｉ、前記第１時間インデックス＝ｊ、前記第２周波数インデックス＝ｊ、前記第１時間インデックス＝ｉである請求項２２の方法。
【請求項２４】
時間インデックスの第１セットから第１時間インデックスで第１送信シンボルを送信する手段と、
時間インデックスの前記第１セットから前記第１時間インデックスとは異なる第２時間インデックスで第２送信シンボルを送信する手段と、を具備し、
前記第１送信シンボルの一部分および前記第２送信シンボルの一部分は同じデータを含むポータブル無線端末。
【請求項２５】
コンピュータに、時間インデックスの第１セットから第１時間インデックスで第１送信シンボルを送信させるコードと、
前記コンピュータに、時間インデックスの前記第１セットから前記第１時間インデックスとは異なる第２時間インデックスで第２送信シンボルを送信させるコードと、を具備し、
前記第１送信シンボルの一部分および前記第２送信シンボルの一部分は同じデータを含むコンピュータ読み取り可能な媒体を具備するコンピュータプログラム製品。
【発明の詳細な説明】
【技術分野】
【０００１】
様々な実施形態は無線通信に関する装置および方法を対象にし、特に、ピアツーピア通信に関連する装置および方法を対象にする。
【０００２】
本特許出願は、２００７年７月１０日に出願され、これに関して譲受人に割り当てられ、参照することによりここに明確に組み込まれる、“ＭＥＴＨＯＤＳ  ＡＮＤ  ＡＰＰＡＲＡＴＵＳ  ＦＯＲ  ＤＡＴＡ  ＥＸＣＨＡＮＧＥ  ＩＮ  ＰＥＥＲ  ＴＯ  ＰＥＥＲ  ＣＯＭＭＵＮＩＣＡＴＩＯＮＳ”と題された、仮出願番号６０／９４８，９８０の優先権を主張する。
【背景技術】
【０００３】
アドホックピアツーピアネットワークのように、ネットワークインフラストラクチャが存在しない無線ネットワークでは、別のピア端末との通信リンクを確立する場合、端末は多くの課題に直面する。１つの課題は、端末がちょうど電源を入れるかまたは新規エリアへ移動する場合、２つの端末間で任意の通信を始めることができる前に、端末は、別の端末が近くに存在するかどうかを最初に知らなければならない可能性があるということである。
【０００４】
識別および取得の上記問題への一般的な解決策は、端末に、通信プロトコルに従って信号を送信させおよび／または受信させることである。しかし、アドホックネットワークは多くの課題が存在する。しばしば、端末には、例えばネットワークインフラストラクチャの不足のために、共通のタイミングリファレンスがない場合がある。そのため、第１端末が信号を送信しており、第２端末が受信モードでないとき、送信された信号は第２の端末が第１端末の存在を検出するのに役立たないことがありえる。
【０００５】
半二重端末は、それらが同時に送受信することができないという点で別の課題が存在する。そのような場合、２つの端末のそれぞれは、送信している時は他の端末の信号を受け取ることができないので、メッセージを同時に送信することができるが、他の端末の存在を検出できないかもしれない。これらの問題は、ピア検出に影響を与えるだけでなく、特に、ユーザスケジューリングのような他の通信にも影響を与える。
【０００６】
最終的に、電力効率は、端末のバッテリー寿命に大きな影響を及ぼし、それゆえ任意の無線システムにおいて別に考慮すべき重要なことである。
【発明の概要】
【０００７】
上述された欠点の１以上を対処する方法、システムおよびデバイスが記述される。  
一例となる無線通信デバイスは、メモリおよび無線通信インタフェースに接続されたプロセッサを具備する。プロセッサは、時間インデックスの第１セットから第１時間インデックスで第１送信シンボルを送信し、時間インデックスの第１セットから第２時間インデックスで第２送信シンボルを送信し、第２時間インデックスは時間インデックスの第１セットから得られるが時間インデックスの第１セットからの第１時間インデックスとは異なり、第１送信シンボルの一部分および第２送信シンボルの一部分は同じデータを含むように構成される。  
例えば、第１送信シンボルおよび第２送信シンボルは、利用可能な帯域幅の大部分を占有する、スペクトル拡散信号または小さな周波数帯幅を占有するビーコンタイプの信号であってもよい。時間インデックスの第１セットは、第１デバイスＩＤに関連し、第２デバイスＩＤに関連する時間インデックスの第２セットを含まない少なくとも１つの時間インデックスを含み、第２セットは第１セットを含まない少なくとも１つの時間インデックスを含む。一態様によれば、メモリに格納されたテーブルは、時間インデックスの第１セットに第１デバイスＩＤを、および時間インデックスの第２セットに第２デバイスＩＤをマッピングする。別の態様によれば、プロセッサは、時間インデックスの第１セットに第１デバイスＩＤを、および時間インデックスの第２セットに第２デバイスＩＤをマッピングするための機能を実行する。
【０００８】
別の態様によれば、プロセッサは、少なくとも第１および第２デバイスＩＤの１つであるべき現時点でのデバイスによって用いられる現在デバイスＩＤを決定し、時間インデックスの第１および第２セットの少なくとも１つに現在デバイスＩＤをマッピングし、時間インデックスのマッピングされたセットから時間インデックスで送信シンボルを送信するモジュールを実行する。そのやり方においてノードに割り当てられたデバイスＩＤを変化させることは、ネットワークにおける他のデバイスからの潜在的な非感知効果（desense effect）を減らす。
【０００９】
一態様によれば、時間インデックスの第１セットおよび時間インデックスの第２セットは同じ大きさである。別の態様によれば、時間インデックスの第１セットは、送信に関する送信ブロックインターバルのサイズの半分に、最も近い整数と等しいサイズを有する。
【００１０】
例として、第１送信シンボルは、ＣＤＭＡ波形またはＯＦＤＭ波形で変調されてもよい。下に記述されるように、時間インデックスの第１セットのサイズは、デバイスＩＤ空間のサイズ（例えば、サポートされるモバイルノード数）と、変調手法がＣＤＭＡ波形である時間インデックスにおいてサポート可能なＣＤＭＡ波形の最大数とによって決定される。同様に、時間インデックスの前記第１のサイズはまた、少なくともデバイスＩＤ空間のサイズと、変調手法がＯＦＤＭ波形であるシステムにおいてサポート可能な周波数インデックスの最大数とによって決定される。
【００１１】
一態様によれば、プロセッサは、第１周波数インデックスで第１送信シンボルを送信し、および第１周波数インデックスと異なる第２周波数インデックスで第２送信シンボルを送信するように構成される。下に記述された１つの特定の態様では、第１周波数インデックス＝ｉ、第１時間インデックス＝ｊ、第２周波数インデックス＝ｊ、第１時間インデックス＝ｉである。
【図面の簡単な説明】
【００１２】
【図１】実装された一例となるアドホック通信ネットワークを示す図。
【図２】共通のタイミングリファレンスがない場合のアドホックネットワークにおける一例となるユーザ誤検出問題を示す図。
【図３】３つの一例となるビーコン信号バースト含むビーコン信号を通信するために用いられる一例となるエアリンクリソースを示し、各ビーコン信号バーストは１つのビーコンシンボルを含む図。
【図４】ビーコンシンボルとデータ／制御信号との間で一例となる相対的な送信電力レベルを示す図。
【図５】送信しているビーコン信号バーストの１つの例となる実施形態を示す図。
【図６】他の時間で受信機が電力を節約するためにオフとなる間、受信しているビーコン信号バーストがある指定された時間インターバル中に発生する１つの例となる実施形態を示す図。
【図７】実装されるように、２つの端末がビーコン信号バーストを送受信する場合にユーザ誤検出問題がどのように解決されるかを記述するために用いられる図面。
【図８】端末において実装された状態図の１つの例となる実施形態を示す図。
【図９】実装された一例となる無線端末の詳細な実例を示す図。
【図１０】ポータブル無線端末を操作する一例となる方法のフローチャートを示す図。
【図１１】ポータブル無線端末を操作する一例となる方法のフローチャートを示す図。
【図１２】ポータブル無線端末（例えば、電池式のモバイルノード）を操作する一例となる方法のフローチャートを示す図。
【図１３】ポータブル無線端末（例えば、電池式のモバイルノード）を操作する一例となる方法のフローチャートを示す図。
【図１４】ポータブル無線端末からの一例となるビーコンシグナリングを示す図を含む図。
【図１５】異なる無線端末が、異なるビーコンバースト信号を含む異なるビーコン信号を送信することを示す図。
【図１６】ビーコンシンボル送信ユニットが複数のＯＦＤＭシンボル送信ユニットを含むいくつかの実施形態の特徴を示す図面および対応する説明を示す図。
【図１７】ビーコンバースト信号のシーケンスを具備する一例となるビーコン信号を示し、いくつかの実施形態のタイミング関係を示すために用いられる図面。
【図１８】ビーコンバースト信号のシーケンスを具備する一例となるビーコン信号を示し、いくつかの実施形態のタイミング関係を示すために用いられる図面。
【図１９】無線端末がビーコン信号を送信する動作モードにおける無線端末によって分割する一例となるエアリンクリソースを示す図面。
【図２０】無線端末がビーコン信号を送信し、ユーザデータ（例えば動作のアクティブモード）を受信および／または送信できる無線端末動作の一例となるモードのためのビーコン信号送信以外の用途に関連した一例となるエアリンクリソース部分を記述する図。
【図２１】無線端末がビーコン信号（例えば、非アクティブモードおよびアクティブモード）を送信している無線端末動作の一例となる２つのモードを示す図。
【図２２】２つのビーコンバーストを含む一例となる第１時間インターバル中の一例となる無線端末エアリンクリソース利用を示す図面および対応する説明を含む図。
【図２３】２つのビーコンバーストを含む一例となる第１時間インターバル中の一例となる無線端末エアリンクリソース利用を示す図面および対応する説明を含む図。
【図２４】ビーコン信号に関して代わりとなる記述的表現を示す図。
【図２５】一例となるポータブル無線端末（例えば、モバイルノード）の図面。
【図２６】通信デバイス（例えば、電池式の無線端末）を操作する一例となる方法のフローチャートの図面。
【図２７】一例となるポータブル無線端末（例えば、モバイルノード）の図面。
【図２８】互いの存在に気づくようになり、無線端末ビーコン信号の使用によってタイミング同期を実現する、アドホックネットワークにおける２つの無線端末に関する一例となる時系列、イベントのシーケンスおよび動作を示す図面。
【図２９】一例となる実施形態に従うビーコン信号に基づいた２つの無線端末間の一例となる同期タイミングを示す図。
【図３０】別の一例となる実施形態に従うビーコン信号に基づいた２つの無線端末間の一例となる同期タイミングを示す図。
【図３１】別の一例となる実施形態に従うビーコン信号に基づいた２つの無線端末間の一例となる同期タイミングを示す図。
【図３２】一例となる実施形態に従う一例となるデータ交換配置を示す図。
【図３３】一例となる実施形態に従う一例となるデータ交換配置を示す図。
【図３４】一例となる実施形態に従う複数のノードの一例となるスロット割当て配置を示す図。
【図３５】一例となる実施形態に従う複数のノードの一例となるスロット割当て配置を示す図。
【図３６】一例となる実施形態に従う一例となる時間対周波数割り当て配置を示す図。
【発明を実施するための形態】
【００１３】
図１は、実装された一例となるアドホック通信ネットワーク１００を図示する。一例となる２つの無線端末、すなわち、第１無線端末１０２および第２無線端末１０４は、地理的領域１０６の中に存在する。いくつかのスペクトル帯は、通信の目的で２つの無線端末によって用いられることができる。２つの無線端末は、互いの間のピアツーピア通信リンクを確立するために利用可能なスペクトル帯を用いる。
【００１４】
アドホックネットワークはネットワークインフラストラクチャがなくてもよいので、無線端末には共通のタイミングまたは周波数リファレンスを有さなくてもよい。これはアドホックネットワークにおいてある課題をもたらす。詳述するために、端末のどちらかが他方の存在をどのように検出するかの問題を考慮する。
【００１５】
説明のために、以下では、ある時間に無線端末は送信または受信することができると仮定されているが、両方ではない。当業者は、端末が同時に送信するのみならず受信することもできる場合に、同じ原理を適用できることが理解される。
【００１６】
図２は、２つの無線端末が互いを見つけるために用いてもよい、１つの可能なスキームを記述するために用いられる図２００を含む。第１端末は、時間インターバル２０２において何らかの信号を送信し、時間インターバル２０４において信号を受信する。その間に、第２無線端末は、時間インターバル２０６において何らかの信号を送信し、時間インターバル２０８において信号を受信する。第１無線端末が同時に送信するのみならず受信することができる場合、時間インターバル２０２および２０４は互いにオーバーラップしてもよいことに留意する。
【００１７】
２つの端末が共通タイミングリファレンスを有さないので、それらのＴＸ（送信）およびＲＸ（受信）タイミングは同期されないことに留意する。特に、図２は、時間インターバル２０４および２０６がオーバーラップしないことを示す。第１無線端末がリッスンしているとき第２無線端末は送信せず、第２無線端末が送信しているとき第１無線端末はリッスンしない。従って、第１無線端末は、第２端末の存在を検出しない。同様に、時間インターバル２０２および２０８はオーバーラップしない。従って、第２無線端末は、第１無線端末の存在も検出しない。
【００１８】
上記の誤検出問題を克服するやり方がある。例えば、無線端末は、時間とともに２つの無線端末が互いを確率的に検出するように、ＴＸおよびＲＸ手続が行なわれる時間インターバルをランダム化してもよい。しかし、代償は、遅延および結果として生ずる電池消費である。加えて、電力消費はまた、ＴＸおよびＲＸ手続における所要電力によって決定される。例えば、信号の１つの形式を検出することが、別の形式を検出するよりも少ない処理電力を要求するかもしれない。
【００１９】
新しい信号のＴＸおよびＲＸ手続が、別の端末の存在を検出することの遅延および関連した電力消費を減らすために用いられおよび実装されることが、様々な実施形態の特徴である。
【００２０】
様々な実施形態に従って、無線端末は、ビーコン信号と呼ばれる特別の信号を送信する。ビーコン信号は、ごく一部分を占有し、例えば、いくつかの実施形態において利用可能なエアリンク通信リソースの合計量のたった０．１％である。エアリンク通信リソースは、最小または基本送信単位、例えばＯＦＤＭシステムにおけるＯＦＤＭトーンシンボルについて測定される。エアリンク通信リソースは、自由度が通信のために用いられることができるリソースの最小単位である場合、自由度の観点から測定されうる。例えば、ＣＤＭＡシステムでは、自由度は、拡散符号、シンボル期間に対応する時間でありうる。一般に、あるシステムにおける自由度は互いに直交している。
【００２１】
周波数分割多重システム、例えばＯＦＤＭシステムの一例となる実施形態を考慮する。そのシステムでは、情報はシンボルごとに送信される。シンボル送信期間では、利用可能な帯域幅の合計は多くのトーンに分割され、それぞれは情報を伝えるために用いられうる。
【００２２】
図３は、一例となるＯＦＤＭシステムにおける利用可能なリソースを示す描画３００を含む。横軸３０１は時間を表し、縦軸３０２は周波数を表す。垂直の列は、あるシンボル期間におけるトーンのそれぞれを表す。各小さな四角形３０４は、単一の送信シンボル期間上の単一トーンのエアリンクリソースであるトーンシンボルを表す。ＯＦＤＭシンボルにおける最小の送信ユニットは、トーンシンボルである。
【００２３】
ビーコン信号は、時間と共に連続して送信されるビーコン信号バースト（３０８、３１０、３１２）のシーケンスを含む。ビーコン信号バーストは少数のビーコンシンボルを含む。この例では、ビーコンシンボルバースト（３０８、３１０、３１２）はそれぞれ１つのビーコンシンボルおよび１９個のヌル（null）を含む。この例では、ビーコンシンボルはそれぞれ１つの送信期間上の単一のトーンである。ビーコン信号バーストは、少数の送信シンボル期間、例えば１つまたは２つのシンボル期間で、同じトーンのビーコンシンボルを含む。図３は３つの小さな黒い四角形を示し、それぞれ（３０６）はビーコンシンボルを表す。この場合、ビーコンシンボルは、１つのトーンシンボルのエアリンクリソースを用いる。すなわち、１つのビーコンシンボル送信ユニットはＯＦＤＭトーンシンボルである。別の実施形態では、ビーコンシンボルは、２つの連続シンボル期間上で送信された１つのトーンを具備し、ビーコンシンボル送信ユニットは２つの隣接したＯＦＤＭトーンシンボルを具備する。
【００２４】
ビーコン信号は、全最小送信ユニットのごく一部分を占有する。Ｎは、関心のあるスペクトルのトーンの合計を示す。例えば１または２秒の、任意の適度に長い時間インターバルでは、シンボル期間数がＴであると想定する。そして、最小の送信ユニットの合計はＮ＊Ｔである。様々な実施形態に従って、時間インターバルにおいてビーコン信号によって占有されたトーンシンボル数は、Ｎ＊Ｔよりかなり少ない（例えば、いくつかの実施形態においてＮ＊Ｔのたった０．１％）。
【００２５】
ビーコン信号バーストにおけるビーコンシンボルのトーンは、１つのバーストから別のバーストまで変化する（ホップする）。様々な実施形態に従って、ビーコンシンボルのトーンホッピングパターンは、いくつかの実施形態において無線端末の機能であり、端末の識別または端末が属する種類の識別として用いられることが可能であり、実際用いられることもある。一般に、ビーコン信号における情報は、どの最小送信ユニットがビーコンシンボルを伝達するかを決定することにより復号されうる。例えば、情報は、トーンホッピングシーケンスに加えて、あるビーコン信号バーストにおける１以上のビーコンシンボルの１以上のトーンの周波数、あるバーストにおけるビーコンシンボル数、ビーコン信号バーストの継続期間および／またはバースト間インターバルが含まれうる。
【００２６】
ビーコン信号はまた、送信電力観点から特徴づけられることができる。様々な実施形態に従って、最小送信ユニット当たりのビーコン信号の送信電力はかなり高く、例えば、端末送信機が通常のデータセッションにある場合、いくつかの実施形態において、自由度当たりの制御信号およびデータの平均送信速度電力より少なくとも１０ｄＢは高い。いくつかの実施形態に従って、最小送信ユニット当たりのビーコン信号の送信電力は、端末送信機が通常のデータセッションにある場合、自由度当たりの制御信号およびデータの平均送信速度電力より少なくとも１６ｄＢは高い。例えば、図４の描画４００は、無線端末がデータセッションにある、すなわち、端末は関心のあるスペクトルを用いてデータおよび制御情報を送信しているとき、例えば、１または２秒の適度に長い時間インターバルにおいて、トーンシンボルのそれぞれに用いられた送信電力をプロットする。横軸４０１によって表わされるそれらのトーンシンボルの順序は、この議論の目的に関して重要でない。小さな垂直の矩形４０４は、ユーザデータおよび／または制御情報を伝達する個別のトーンシンボルの電力を表す。比較として、高い黒い矩形４０６もビーコントーンシンボルの電力を示すために含まれる。
【００２７】
別の実施形態では、ビーコン信号は、断続的なタイムピリオドで送信されたビーコン信号バーストのシーケンスを含む。ビーコン信号バーストは、１以上（少数）の時間領域インパルスを含む。時間領域インパルス信号は、関心のある何らかのスペクトル帯域幅上の非常に小さな送信時間継続期間を占有する特別の信号である。例えば、利用可能な帯域幅が３０ｋＨｚである通信システムでは、時間領域インパルス信号は、短継続期間について３０ｋＨｚの帯域幅の重要な部分を占有する。任意の適度に長い時間インターバル（例えば数秒）では、時間領域インパルスの全継続期間はごく一部分であり、例えば、いくつかの実施形態において合計時間継続期間のたった０．１％である。その上、インパルス信号が送信される間の時間インターバルにおける自由度当たりの送信電力はかなり高く、例えば、送信機が通常のデータセッションにあるとき、いくつかの実施形態において、自由度当たりの平均送信電力より１０ｄＢは高い。インパルス信号が送信される間の時間インターバルにおける自由度当たりの送信電力は、送信機が通常のデータセッションにあるとき、自由度当たりの平均送信電力力より少なくとも１６ｄＢは高い。
【００２８】
図４は、送信電力が１つのトーンシンボルから別のシンボルへ変化してもよいことを示す。Ｐａｖｇ（４０８）は、トーンシンボル当たりの平均送信電力を表す。様々な実施形態に従って、ビーコン信号のトーンシンボル当たりの送信電力はかなり高く、例えば、Ｐａｖｇより少なくとも１０ｄＢは高い。ビーコン信号のトーンシンボル当たりの送信電力は、Ｐａｖｇより少なくとも１６ｄＢは高い。１つの例となる実施形態では、ビーコン信号のトーンシンボル当たりの送信電力はＰａｖｇより２０ｄＢｓは高い。
【００２９】
一実施形態において、ビーコン信号のトーンシンボル当たりの送信電力は、ある端末に関して一定である。すなわち、電力は時間またはトーンに応じて変化しない。別の実施形態において、ビーコン信号のトーンシンボル当たりの送信電力は、複数の端末に関して同じであり、それどころかネットワークにおける端末のそれぞれに対して同じである。
【００３０】
図５の描画５００は、ビーコン信号バーストを送信することの一実施形態を図示する。たとえ無線端末が近くに他の端末がないと決定したときでも、または、たとえ端末が既に他の端末を検出してそれらと通信リンクを確立していても、無線端末は、ビーコン信号バースト、例えば、ビーコン信号バーストＡ５０２、ビーコン信号バーストＢ５０４、ビーコン信号バーストＣ５０６などを送信し続ける。
【００３１】
２つの連続するビーコン信号バースト間に多くのシンボル期間があるように、端末は断続的な（つまり、非連続的な）やり方においてビーコン信号バーストを送信する。一般に、ビーコン信号バーストの時間継続期間はとても短く、例えばいくつかの実施形態において、Ｌ５０５として示される２つの連続するビーコン信号バースト間で、シンボル期間数より少なくとも５０倍短い。一実施形態において、Ｌの値は固定されおよび一定であり、その場合にはビーコン信号が周期的である。いくつかの実施形態では、Ｌの値は同じであり、端末のそれぞれに知られている。別の実施形態では、Ｌの値は、時間と共に変化し、例えば予め定められたパターンまたは擬似ランダムパターンに従って変化する。例えば、数は、定数Ｌ０とＬ１との間に分布している数、例えば乱数でありうる。
【００３２】
図６の描画６００は、他の時間で受信機が電力を節約するためにオフとなる間、受信しているビーコン信号バーストがある指定された時間インターバル中に発生する１つの例となる実施形態を図示する。無線端末は、関心のあるスペクトルをリッスンし、異なる端末によって送信されてもよいビーコン信号を検出しようと試みる。無線端末は、少数のシンボル期間の時間インターバルに関して継続的にリスニングモードにあってもよく、オン時間と呼ばれる。オン時間６０２があり、続いて、無線端末が省電力モードにあり、全く信号を受信しない間であるオフ時間６０６がある。オフ時間では、無線端末は受信モジュールを完全にオフする。オフ時間６０６が終了したとき、端末はオン時間６０４を再開し、再びビーコン信号を検出し始める。上記の手続は繰り返す。
【００３３】
できれば、オン時間インターバルの長さは、オフ時間インターバルの長さより短い方がよい。一実施形態では、オン時間インターバルは、オフ時間インターバルの１／５より少なくてもよい。一実施形態では、オン時間インターバルごとの長さは同じであり、オフ時間インターバルごとの長さも同じである。
【００３４】
いくつかの実施形態では、第２無線端末が第１無線端末の近くに現に存在する場合、オフ時間インターバルの長さは、別の（第２の）無線端末の存在を検出するために第１無線端末に関するレイテンシー要求に依存する。第１無線端末がオン時間インターバルにおいて少なくとも１つのビーコン信号バーストを検出することの大きな確率を有するように、オン時間インターバルの長さが決定される。一実施形態において、オン時間インターバルの長さは、ビーコン信号バーストの送信継続期間および連続するビーコン信号バースト間の継続期間の少なくとも１つの関数である。例えば、オン時間インターバルの長さは、少なくともビーコン信号バーストの送信継続期間と連続するビーコン信号バースト間の継続期間との合計である。
【００３５】
図７の描画７００は、２つの端末が実装されたビーコン信号送受信手続を用いる場合に、端末がどのように第２端末の存在を検出するかを図示する。
【００３６】
横軸７０１は時間を表す。第１無線端末７２０は、第２無線端末７２４が現れる前にアドホックネットワークに到達する。送信機７２２を用いる第１無線端末７２０は、ビーコン信号バースト７１０、７１２、７１４などのシーケンスを含むビーコン信号を送信し始める。第２無線端末７２４は、第１無線端末７２０が既にバースト７１０を送信した後に現れる。受信機７２６を含む第２無線端末７２４がオン時間インターバル７０２を開始すると想定する。オン時間インターバルは、ビーコン信号バースト７１２の送信継続期間およびバースト７１２と７１４との間の継続期間をカバーするのに十分に大きいことに留意する。従って、たとえ第１および第２無線端末（７２０、７２４）が共通タイミングリファレンスを有さなくても、第２無線端末７２４はオン時間インターバル７０２においてビーコン信号バースト７１２の存在を検出することができる。
【００３７】
図８は、無線端末において実装された一例となる状態図８００の一実施形態を図示する。
【００３８】
無線端末の電源が入れられる場合、無線端末は、端末が、送信されるべき次のビーコン信号バーストの開始時間を決定する８０２の状態に入る。加えて、無線端末は、受信機に関して次のオン時間インターバルの開始時間を決定する。無線端末は、開始時間を管理するために送信機タイマーおよび受信機タイマーを用いてもよいし、いくつかの実施形態では実際用いる。無線端末は、どちらか一方のタイマーが切れるまで待つ。どちらか一方のタイマーが瞬間的に切れてもよく、無線端末が、電源を入れた際にビーコン信号バーストを送信または検出することを意味することに留意する。
【００３９】
ＴＸタイマーの終了の際、端末は、８０４の状態に入る。無線端末は、バーストによって用いられる周波数トーンを含むバーストの信号形式を決定し、ビーコン信号バーストを送信する。一旦送信が完了すれば、端末は８０２の状態に戻る。
【００４０】
ＲＸタイマーの終了の際、無線端末は、８０６の状態に入る。無線端末は、ビーコン信号バーストを検索し、リスニングモードに入る。オン時間インターバルが終了するときに無線端末がビーコン信号バーストを発見していない場合、無線端末は８０２の状態に戻る。
【００４１】
無線端末が新規の無線端末のビーコン信号バーストを検出する場合、無線端末が新規の端末と通信するつもりならば、無線端末は８０８の状態に進んでもよい。８０８の状態では、無線端末は、検出されたビーコン信号から新規の無線端末のタイミングおよび／または周波数を得て、その後、新規の無線端末にそれ自身のタイミングおよび／または周波数を同期させる。例えば、無線端末は、新規の無線端末の周波数および／またはタイミングフェーズを推定するための基底として、周波数および／または時間におけるビーコン位置を用いることができる。この情報は、２つの無線端末を同期させるために用いられうる。
【００４２】
一旦同期が終了すれば、無線端末は新規の端末へ付加的な信号を送信し、通信リンクを確立してもよい（８１０）。無線端末および新規の無線端末はその後、ピアツーピア通信セッションをセットアップしてもよい。無線端末が別の端末と通信リンクを確立した場合、他の端末、例えば、新規の無線端末が無線端末を検出することができるように、端末はビーコン信号を断続的に送信し続けるべきである。加えて、無線端末は、新規の無線端末を検出するためにオン時間インターバルに周期的に入り続ける。
【００４３】
図９は、実装された一例となる無線端末９００、例えばポータブルモバイルノードの詳細な図を提供する。図９に描かれた一例となる無線端末９００は、図１に描かれた端末１０２および１０４のうちの任意の１つとして用いられる可能性がある装置の詳細な表現である。図９の実施形態では、端末９００は、プロセッサ９０４、無線通信インターフェースモジュール９３０、ユーザ入力／出力インタフェース９４０、およびバス９０６により一緒に接続されるメモリ９１０を含む。従って、端末９００のバス９０６を経た様々なコンポーネントは、情報、信号およびデータを交換することができる。端末９００のコンポーネント９０４、９０６、９１０、９３０、９４０は、筐体９０２の内部に位置する。
【００４４】
無線通信インターフェースモジュール９３０は、無線端末９００の内部コンポーネントが、外部デバイスおよび別の無線端末へ信号を送信し、外部デバイスおよび別の無線端末から信号を受信することができるメカニズムを提供する。無線通信インターフェースモジュール９３０は、例えば受信機モジュールおよび送信機モジュール９３４を含む。受信機モジュールおよび送信機モジュール９３４は、例えば、無線通信チャネルを経て、無線端末９００と他の端末とを接続するために用いられるアンテナ９３６と共にデュプレクサ９３８と結合される。
【００４５】
一例となる無線端末９００はまた、ユーザ入力／出力インタフェース９４０を経てバス９０６に接続される、ユーザ入力デバイス９４２（例えばキーパッド）、ユーザ出力デバイス９４４（例えばディスプレイ）を含む。それゆえ、ユーザ入力／出力デバイス９４２および９４４は、ユーザ入力／出力インタフェース９４０およびバス９０６を経て端末９００の他のコンポーネントとデータ、信号および情報を交換することができる。ユーザ入力／出力インタフェース９４０および関連するデバイス９４２、９４４は、ユーザが様々なタスクを達成するために無線端末９００を操作することができるメカニズムを提供する。
【００４６】
特に、ユーザ入力デバイス９４２およびユーザ出力デバイス９４４は、ユーザに、無線端末９００およびアプリケーション（例えば、無線端末９００のメモリ９１０で実行する機能、ルーチン、プログラムおよび／またはモジュール）を制御させることを可能にする機能性を提供する。
【００４７】
例えばメモリ９１０に含まれるルーチンといった、様々なモジュールの制御下にあるプロセッサ９０４は、様々なシグナリングおよび処理を行うために無線端末９００の動作を制御する。メモリ９１０に含まれたモジュールは、起動時に、または他のモジュールによって呼び出されたときに、実行される。モジュールが実行されるとき、モジュールはデータ、情報および信号を交換してもよい。モジュールが実行されるとき、モジュールはまた、データおよび情報を共有してもよい。図９の実施形態では、一例となる無線端末９００のメモリ９１０は、シグナリング／制御モジュール９１２およびシグナリング／制御データ９１４を含む。
【００４８】
シグナリング／制御モジュール９１２は、状態情報ストレージの管理、検索、および処理のために信号（例えば、メッセージ）を受信することおよび送ることに関する処理を制御する。シグナリング／制御データ９１４は、状態情報、例えば端末の動作に関する他の情報、ステータスおよび／またはパラメータを含む。特に、シグナリング／制御データ９１４は、ビーコン信号構成情報９１６（例えば、ビーコン信号バーストが送信されるべきシンボル期間、用いられるべき周波数トーンを含むビーコン信号バーストの信号形式）、受信機オン時間およびオフ時間構成情報９１８（例えばオン時間インターバルの開始および終了時間）を含む。モジュール９１２は、データ９１４にアクセスしかつ／またはデータを修正してもよく、例えば、構成情報９１６および９１８を更新する。モジュール９１２はまた、ビーコン信号バーストを生成し送信するモジュール９１１、ビーコン信号バーストを検出するモジュール９１３、および受信ビーコン信号情報に応じてタイミングおよび／または周波数同期情報を実装しおよび／または決定する同期モジュール９１５を含む。
【００４９】
図１０は、ポータブル無線端末を操作する一例となる方法のフローチャート１０００の図面である。一例となる方法の操作がステップ１００２において開始し、無線端末の電源が入れられ初期化され、ステップ１００４に進む。ステップ１００４では、無線端末は、第１時間インターバル中に、ビーコン信号およびユーザデータを送信するために操作される。ステップ１００４は、サブステップ１００６およびサブステップ１００８を含む。
【００５０】
サブステップ１００６では、無線端末は、ビーコン信号バーストのシーケンスを含むビーコン信号を送信するために操作され、各ビーコン信号バーストは１以上のビーコンシンボルを含み、各ビーコンシンボルはビーコンシンボル送信ユニットを占有し、１以上のビーコンシンボルは各ビーコンシンボルバースト中に送信される。様々な実施形態では、ビーコン信号を送信するために用いられる送信電力は、バッテリー電源が提供する。ビーコン信号バーストにおけるビーコンシンボル数は、利用可能なビーコンシンボル送信ユニットの１０パーセント未満を占有する。ビーコン信号バーストのシーケンスにおいて送信されたビーコン信号バーストごとに、同じ期間を有する。他の実施形態では、ビーコン信号バーストのシーケンスにおいて送信されたビーコン信号バーストの少なくともいくつかは、異なる長さの期間を有する。
【００５１】
サブステップ１００６は、サブステップ１０１０を含む。サブステップ１０１０では、無線端末は、周期的に上記ビーコン信号バーストを送信するために操作され、ビーコン信号バーストの上記シーケンスにおける２つの隣接したビーコン信号バースト間での時間期間は、２つの隣接したビーコン信号バーストのどちらかの継続期間の少なくとも５倍である。第１期間で発生するビーコン信号バースト間の時間期間は、第１期間中に周期的なやり方で発生するビーコン信号バーストによらず一定である。いくつかのそのような実施形態では、上記第１期間中のビーコン信号バーストの継続期間は一定である。第１期間中に発生するビーコン信号バースト間の時間間隔は、予め定められたパターンに従って第１期間中に発生するビーコン信号バーストによって変化する。いくつかのそのような実施形態では、上記第１期間中のビーコン信号バーストの時間期間は一定である。予め定められたパターンは、送信するステップを行う無線端末に依存して変化する。様々な実施形態では、予め定められたパターンは、システムにおける全ての無線端末に関して同じである。パターンは擬似ランダムパターンである。
【００５２】
サブステップ１００８では、無線端末は第１時間インターバル中にユーザデータを送信するために操作され、上記ユーザデータは、第１時間インターバル中に送信されたビーコンシンボルのビーコンシンボル電力レベル当たり平均より少なくとも５０パーセント低いシンボル電力レベル当たり平均で送信されたデータシンボルを用いて送信される。各ビーコンシンボルのシンボル送信電力レベル当たり平均は、第１タイムピリオド中に送信データを用いたシンボルのシンボル送信電力レベル当たり平均よりも少なくとも１０ｄＢ高い。各ビーコンシンボルのシンボル送信電力レベル当たり平均は、第１タイムピリオド中に送信データを用いたシンボルのシンボル送信電力レベル当たり平均よりも少なくとも１６ｄＢ高い。
【００５３】
様々な実施形態では、ビーコンシンボルは、ＯＦＤＭトーンシンボルを用いて送信され、上記ビーコンシンボルは、複数のビーコンシンボルバーストを含む期間中に上記無線端末によって用いられる送信リソースのトーンシンボルの１パーセント未満を占有する。いくつかのそのような実施形態では、ビーコンシンボルは、１つのビーコン信号バーストおよび連続するビーコン信号バースト間での１つのインターバルを含む上記期間の一部において、トーンシンボルの０．１パーセント未満を占有する。
【００５４】
サブステップ１００８では、無線端末は、上記第１期間中に上記無線端末によって用いられる送信リソースのトーンシンボルの少なくとも１０パーセントでユーザデータを送信するために操作される。いくつかのそのような実施形態では、上記第１期間中に発生するビーコン信号バースト時間期間の時間継続期間は、上記第１期間中に２つの連続するビーコン信号バースト間で発生する時間期間よりも少なくとも５０倍短い。
【００５５】
ポータブル無線端末は、上記ビーコン信号を送信するＯＦＤＭ送信機を含み、ビーコン信号は周波数および時間の組合せであるリソースを用いて通信される。ポータブル無線端末は、上記ビーコン信号を送信するＣＤＭＡ送信機を含み、ビーコン信号は符号および時間の組合せであるリソースを用いて通信される。
【００５６】
図１１は、ポータブル無線端末（例えば、電池式のモバイルノード）を操作する一例となる方法のフローチャート１１００の図面である。操作はステップ１１０２から開始し、ポータブル無線端末の電源が入れられ、初期化される。操作は開始ステップ１１０２からステップ１１０４に進み、ポータブル無線端末は、ビーコン信号バーストのシーケンスを含むビーコン信号を送信するために操作され、各ビーコンシンボルバーストは１以上のビーコンシンボルを含み、各ビーコンシンボルはビーコンシンボル送信ユニットを占有し、１以上のビーコンシンボルは各バースト中に送信される。いくつかのそのような実施形態では、ビーコンシンボルはＯＦＤＭトーンシンボルを用いて送信され、ビーコンシンボルは、複数の信号バーストを含む期間中に上記無線端末によって用いられる送信リソースのトーンシンボルの１パーセント未満を占有する。操作はステップ１１０４からステップ１１０６に進む。
【００５７】
ステップ１１０６では、ポータブル無線端末は、複数の信号バーストを含む期間中に上記無線端末によって用いられるトーンシンボルの少なくとも１０パーセントでユーザデータを送信するために操作される。いくつかのそのような実施形態では、上記期間において発生するビーコン信号バーストの時間継続期間は、上記期間中に２つの連続するビーコン信号バースト間で発生する時間期間よりも少なくとも５０倍短い。
【００５８】
図１２は、ポータブル無線端末（例えば電池式のモバイルノード）を操作する一例となる方法のフローチャート１２００の図面である。操作はステップ１２０１から開始し、無線端末の電源が入れられ、初期化される。操作は開始ステップ１２０１からステップ１２０２に進み、無線端末は、無線端末がビーコン信号を送信すべきかどうかについてチェックする。無線端末がビーコン信号を送信すべきであるとステップ１２０２において決定される場合、例えば、無線端末は、無線端末がビーコン信号を送信すべき操作の状態または操作モードにある場合、操作はステップ１２０２からステップ１２０４に進む。そうでなければ、操作はビーコン信号が送信されるべきかどうかに関して別のチェックのためにステップ１２０２の入力へ戻る。
【００５９】
ステップ１２０４では、無線端末は、ビーコン信号バーストを送信する時間であるかどうかをチェックする。ビーコン信号バーストを送信する時間であるとステップ１２０４において決定される場合、動作はステップ１２０６に進み、無線端末は、１以上のビーコンシンボルを含むビーコン信号バーストを送信し、各ビーコンシンボルはビーコンシンボル送信ユニットを占有する。動作はステップ１２０６からステップ１２０２に進む。
【００６０】
ビーコン信号バーストを送信する時間でないとステップ１２０４において決定される場合、操作はその後ステップ１２０８に進み、無線端末は潜在的なユーザデータ送信の時間であるかどうかを決定する。潜在的なユーザデータ送信のために割り当てられた時間であることがステップ１２０８において決定される場合、操作はステップ１２０８からステップ１２１０に移り、そうでなければ、操作はステップ１２０８からステップ１２０２に進む。
【００６１】
ステップ１２１０では、無線端末は、無線端末がユーザデータを送信するべきかどうかを決定する。無線端末がユーザデータを送信すべきである場合、操作はステップ１２１０からステップ１２１２に進み、無線端末は、上記無線端末によって送信されたビーコンシンボルのビーコンシンボル電力レベル当たり平均より少なくとも５０パーセント低いシンボル電力レベル当たり平均で送信されたデータシンボルを用いてユーザデータを送信する。無線端末はユーザデータをこの時間に送信すべきではないということがステップ１２１０において決定された場合、例えば、無線端末に送信されるために待機するユーザデータのバックログがない、および／または、無線端末がデータを送信したいピアノードがユーザデータを受信する準備ができていない場合、操作はその後ステップ１２０２へ戻る。
【００６２】
図１３は、ポータブル無線端末（例えば、電池式のモバイルノード）を操作する一例となる方法のフローチャート１３００の図面である。操作はステップ１３０２から開始し、無線端末の電源が入れられ、初期化される。操作は、開始ステップ１３０２から、ステップ１３０４、１３０６、１３０８、コネクティングノードＡ１３１０およびコネクティングノードＢ１３１２に進む。
【００６３】
ステップ１３０４では、現行の基底で行われ、無線端末はタイミングを追跡し、現在の時間情報１３１４を出力している。現在の時間情報１３１４は、例えば、無線端末によって用いられている繰り返しタイミング構造におけるインデックス値を識別する。
【００６４】
ステップ１３０６では、無線端末は、無線端末がビーコン信号を送信するべきかどうかを決定する。無線端末は、無線端末がビーコン信号を送信すべきかどうかを決定する際に、モードおよび／または状態情報１３１６、および／または優先情報１３１８を用いる。無線端末がビーコン信号を送信するべきであると無線端末がステップ１３０６において決める場合、操作はステップ１３２０に進み、無線端末はビーコンアクティブフラグ１３２４を設定する。しかし、無線端末がビーコン信号を送信すべきではないと無線端末がステップ１３０６において決める場合、操作はステップ１３２２に進み、無線端末はビーコンアクティブフラグ１３２４を消去する。操作はステップ１３２０またはステップ１３２２からステップ１３０６へ戻り、無線端末はビーコン信号が送信されるべきかどうかに関して再びテストする。
【００６５】
ステップ１３０８では、無線端末は、無線端末がデータ送信が許可されるかどうかを決定する。無線端末は、無線端末がデータ送信について許可されるかどうかを決定する際、モードおよび／または状態情報１３２６、優先情報１３２８、および／またはピアノード情報１３３０（例えば、ピア無線端末が受容的でありかつユーザデータを受信できるかどうかを示す情報）を用いる。無線端末がユーザデータを送信することを許可されると無線端末がステップ１３０８において決める場合、操作はステップ１３３２に進み、無線端末はデータ送信フラグ１３３６を設定する。しかし、無線端末がユーザデータ送信について許可されないと無線端末がステップ１３０８において決める場合、操作はステップ１３３４に進み、無線端末はデータ送信フラグ１３３６を消去する。操作は、ステップ１３３２またはステップ１３３４からステップ１３０８に戻り、無線端末は、無線端末がデータ送信について許可されるかどうかに関して再びテストする。
【００６６】
コネクティングノードＡ１３１０に戻ると、操作はコネクティングノードＡ１３１０からステップ１３３８に進む。ステップ１３３８では、無線端末は、現在時間情報１３１４が時間構造情報１３４０に関してビーコンバーストインターバルを示すかどうか、およびビーコンアクティブフラグ１３２４が設定されるかどうかについてチェックする。時間がビーコンバーストインターバルであり、かつビーコンアクティブフラグが設定されることを示す場合、操作はその後、ステップ１３３８からステップ１３４２に進む。そうでなければ、操作は、状態の別のテストのためにステップ１３３８の入力に戻る。
【００６７】
ステップ１３４２では、無線端末はビーコン信号バーストを生成し、上記ビーコン信号バーストは１以上のビーコンシンボルを含み、各ビーコンシンボルはビーコンシンボル送信ユニットを占有する。無線端末は、ビーコン信号バーストを生成する際に、現在時間情報１３１４および格納されたビーコン信号定義情報１３４４を利用する。ビーコン信号定義情報１３４４は、例えば、バースト信号定義情報および／またはパターン情報を含む。ビーコン信号バースト情報は、ビーコンシンボルを運ぶために用いられる可能性のある潜在的なＯＦＤＭトーンシンボルのセット内で、無線端末に関して生成されたビーコンバースト信号に対応するビーコンシンボルを伝達するために用いられたＯＦＤＭトーンシンボルのサブセットを識別する情報を含む。１つのビーコン信号バーストに関するトーンサブセットは、同じビーコン信号内で（例えば、予め定められたホッピングパターンに従って）次への１つのビーコン信号バーストとは異なってもよいし、実際異なることもある。ビーコン信号情報は、生成されたビーコンバースト信号のビーコントーンシンボルによって伝達されるべき変調シンボル値を識別する情報を含む。ビーコン信号バーストのシーケンスは、例えば、特定の無線端末に対応して、ビーコン信号を定義するために用いられる。ビーコンシンボルのパターンはビーコン信号（例えば、ビーコンバースト信号内の特定のパターン）を定義するために利用される。
【００６８】
操作は、ステップ１３４２からステップ１３４６に進み、無線端末は生成されたビーコンバースト信号を送信する。無線端末は、送信されたビーコンバースト信号内のビーコンシンボルの送信電力レベルを決定するために格納されたビーコンシンボル電力レベル情報１３４８を用いる。操作はその後、ステップ１３４６からステップ１３３８に進む。
【００６９】
コネクティングノードＢ１３１２に戻ると、操作はコネクティングノードＢ１３１２からステップ１３５０に進む。ステップ１３５０では、無線端末は、現在時間情報１３１４が時間構造情報１３４０に関してデータ送信インターバルを示すかどうか、データ送信フラグ１３３６が設定されるかどうか、および、無線端末がユーザーバックログ情報１３５２によって示されるような送信すべきデータを有するかどうかについてチェックする。指示は、それがデータ送信インターバルであり、データ送信フラグ１３３６が設定され、無線端末が送信するのを待機するデータを有する場合、動作はその後、ステップ１３５０からステップ１３５４に進む。そうでなければ、操作は、状態の別のテストのためにステップ１３５０の入力に戻る。
【００７０】
ステップ１３５４では、無線端末は、ユーザデータ１３５６を含む信号を生成する。ユーザデータ１３５６は、例えば、無線端末のピアが意図されるテキストデータ／情報、ファイル、イメージおよび／または音声を含む。
【００７１】
操作は、ステップ１３５４からステップ１３５８に進み、無線端末は、ユーザデータを含む生成された信号を送信する。無線端末は、送信されるべきユーザデータシンボルの送信電力レベルを決定するために、格納されたユーザデータシンボル電力レベル情報１３６０を用いる。操作は、ステップ１３５８からステップ１３５０に進み、無線端末はユーザデータ送信に関連するチェックを行う。
【００７２】
ビーコン信号バースト内のビーコンシンボル数は、利用可能なビーコンシンボル送信ユニットの１０パーセント未満を占有する。様々な実施形態では、ユーザデータシンボルは、送信されたビーコンシンボルのビーコンシンボル電力レベル当たり平均よりも少なくとも５０パーセント低いシンボル電力レベル当たり平均で送信される。
【００７３】
図１４は、同じビーコンバースト信号（ビーコンバースト１）が非ビーコンバーストインターバル間で繰り返される一例となる実施形態に従う、ポータブル無線端末からの一例となるビーコンシグナリングを図示する描画１４００を含む。各ビーコン信号バーストは、１以上のビーコンシンボルを含み、各ビーコンシンボルはビーコンシンボル送信ユニットを占有し、１以上のビーコンシンボルは各ビーコン信号バースト中に送信されている。時間が横軸１４０４にプロットされる一方、周波数（例えば、ＯＦＤＭトーン）は縦軸１４０２にプロットされる。以下のシーケンスは描画１４００に図示される。ビーコンバースト１信号１４０６を含むビーコンバースト１信号インターバル、非バーストインターバル１４０８、ビーコンバースト１信号１４１０を含むビーコンバースト１信号インターバル、非バーストインターバル１４１２、ビーコンバースト１信号１４１４を含むビーコンバースト１信号インターバル、非バーストインターバル１４１６、ビーコンバースト１信号１４１８を含むビーコンバースト１信号インターバル、非バーストインターバル１４２０。
【００７４】
この例では、各ビーコンバースト信号（１４０６、１４１０、１４１４、１４１８）は、ビーコン信号（１４２２、１４２４、１４２６、１４２８）に対応する。この例に加えて、各ビーコンバースト信号（１４２２、１４２４、１４２６、１４２８）は同じであり、各ビーコンバースト信号は、同じビーコンシンボルを含む。
【００７５】
図１４はまた、ビーコン信号がビーコンバースト信号のシーケンスを含むコンポジット信号であるポータブル無線端末からの一例となるビーコンシグナリングを図示する描画１４５０を含む。各ビーコン信号バーストは、１以上のビーコンシンボルを含み、各ビーコンシンボルはビーコンシンボル送信ユニットを占有し、１以上のビーコンシンボルは各ビーコン信号バーストの間送信されている。時間が横軸１４５４にプロットされる一方、周波数（例えば、ＯＦＤＭトーン）は縦軸１４５２にプロットされる。次のシーケンスは描画１４５０に図示される。ビーコンバースト１信号１４５６を含むビーコンバースト１信号インターバル、非バーストインターバル１４５８、ビーコンバースト２信号１４６０を含むビーコンバースト２信号インターバル、非バーストインターバル１４６２、ビーコンバース３信号１４６４を含むビーコンバースト３信号インターバル、非バーストインターバル１４６６、ビーコンバースト１信号１４６８を含むビーコンバースト１信号インターバル、非バーストインターバル１４７０。この例では、ビーコン信号１４７２は、ビーコンバースト１信号１４５６、ビーコンバースト２信号１４６０、およびビーコンバースト３信号１４６４を含むコンポジット信号である。この例に加えて、各ビーコン信号（ビーコンバースト１信号１４５６、ビーコンバースト２信号１４６０、ビーコンバースト３信号１４６４）は異なる。例えば、各ビーコンバースト信号は、他の２つのビーコンバースト信号に対応するセットとどちらも一致しない、ビーコンシンボルのセットを含む。
【００７６】
ビーコンシンボルは、１つのビーコン信号バーストおよび連続するビーコン信号バースト間の１つのインターバルを含むエアリソースの０．３パーセント未満を占有する。いくつかのそのような実施形態では、ビーコンシンボルは、１つのビーコン信号バーストと連続するビーコン信号バースト間の１つのインターバルとを含むエアリソースの０．１パーセント未満を占有する。いくつかの実施形態におけるエアリソースは、予め定められた時間インターバルに関するトーンのセットに対応するＯＦＤＭトーンシンボルのセットを含む。
【００７７】
図１５は、異なる無線端末が異なるビーコンバースト信号を含む異なるビーコン信号を送信することを図示する。無線端末から送信された異なるビーコン信号は、無線端末識別のために用いられることができ、実際用いられることもある。例えば、描画１５５０は無線端末Ｂ（“ＷＴ Ｂ”）に関連したビーコンバースト信号の表示を含む一方、描画１５００は、無線端末Ａ（“ＷＴ Ａ”）に関連したビーコンバースト信号の表示を含むことを考慮する。説明１５５２が描画１５５０に対応する一方、説明１５０２は描画１５００に対応する。
【００７８】
説明１５０２は、ＷＴ Ａに関するビーコンバースト信号に関して、大きな文字Ｂ１５１２がビーコン送信ユニットによって伝達されたビーコンシンボルを表す一方、グリッドボックス１５１０はビーコンシンボル送信ユニットを表すことを示す。描画１５００では、横軸１５０６がビーコンバースト信号内のビーコン送信ユニット時間インデックスを表す一方、縦軸１５０４は周波数（例えば、ＯＦＤＭトーンインデックス）を表す。ビーコンバースト信号１５０８は、１００個のビーコンシンボル送信ユニット１５１０を含む。それらのビーコンシンボル送信ユニットのうちの２つはビーコンシンボルＢ１５１２を運ぶ。第１ビーコンシンボルは、周波数インデックス＝３および時間インデックス＝０を有する。第２ビーコンシンボルは周波数インデックス＝９および時間インデックス＝６を有する。他のビーコンシンボル送信ユニットは未利用のままである。それゆえこの例では、ビーコンバーストの送信リソースの２％は、ビーコンシンボルを伝達するために用いられる。いくつかの実施形態では、ビーコンシンボルは、ビーコンバーストの送信リソースの１０％未満を占有する。
【００７９】
説明１５５２は、ＷＴ Ｂのビーコンバースト信号に関して、大きな文字Ｂ１５１２がビーコン送信ユニットによって伝達されたビーコンシンボルを表す一方、グリッドボックス１５１０がビーコンシンボル送信ユニットを表すことを示す。描画１５５０では、横軸１５５６がビーコンバースト信号内のビーコン送信ユニット時間インデックスを表す一方、縦軸１５５４は周波数（例えば、ＯＦＤＭトーンインデックス）を表す。ビーコンバースト信号１５５８は、１００個のビーコンシンボル送信ユニット１５１０を含む。それらのビーコンシンボル送信ユニットのうちの２つは、ビーコンシンボルＢ１５１２を運ぶ。第１ビーコンシンボルは、周波数インデックス＝３および時間インデックス＝２を有する。第２ビーコンシンボルは、周波数インデックス＝７および時間インデックス＝６を有する。他のビーコンシンボル送信ユニットは、未利用のままである。それゆえこの例では、ビーコンバーストの送信リソースの２％は、ビーコンシンボルを伝達するために用いられる。
【００８０】
図１６は、描画１６００および、ビーコンシンボル送信ユニットが複数のＯＦＤＭシンボル送信ユニットを含むいくつかの実施形態の特徴を図示する対応する説明１６０２である。この例では、ビーコンシンボル送信ユニットは、２つの隣接したＯＦＤＭシンボル送信ユニットを占有する。他の実施形態では、ビーコンシンボル送信ユニットは、異なる数（例えば３または４を含む）のＯＦＤＭ送信ユニットを占有する。ビーコンシンボル送信ユニットに関して複数のＯＦＤＭ送信ユニットを用いることのこの特徴は、例えば、無線端末間の周波数同期および／または正確なタイミングが存在しなくてもよい場合に、ビーコン信号の簡単な検出を容易にすることができる。ビーコンシンボルは、最初のビーコンシンボルの一部に続いて拡張ビーコンシンボルの一部を含む。例えば、最初のビーコンシンボルの一部は、サイクリックプレフィックスの一部に続いてボディの一部を含み、拡張ビーコンシンボルの一部はボディ部分の延長である。
【００８１】
説明１６０２は一例となるビーコンバースト信号１６１０について図示し、ビーコンシンボル送信ユニットが太い境界での矩形ボックス１６１４によって表わされる一方、ＯＦＤＭ送信ユニットが正方形ボックス１６１２によって表わされる。大きな文字ＢＳ１６１６は、ビーコン送信ユニットによって伝達されるビーコンシンボルを表す。
【００８２】
描画１６００では、横軸１６０６がビーコンバースト信号内のビーコン送信ユニット時間インデックスを表わし、横軸１６０８がビーコンバースト信号内のＯＦＤＭシンボル時間インターバルインデックスを表す一方、縦軸１６０４は周波数（例えばＯＦＤＭトーンインデックス）を表す。ビーコンバースト信号１６１０は、１００個のＯＦＤＭシンボル送信ユニット１６１２および５０個のビーコンシンボル送信ユニット１６１４を含む。
【００８３】
それらのビーコンシンボル送信ユニットのうちの２つは、ビーコンシンボルＢＳ１６１６を運ぶ。第１ビーコンシンボルは、周波数インデックス＝３、ビーコン送信ユニット時間インデックス＝０およびＯＦＤＭ時間インデックス０−１を有し、第２ビーコンシンボルは周波数インデックス＝９、ビーコン送信ユニット時間インデックス＝３およびＯＦＤＭ時間インデックス６−７を有する。他のビーコンシンボル送信ユニットは、未利用のままである。
【００８４】
それゆえ、この例では、ビーコンバーストの送信リソースの４％は、ビーコンシンボルを伝達するために用いられる。いくつかの実施形態では、ビーコンシンボルは、ビーコンバーストの送信リソースの１０％未満を占有する。
【００８５】
図１７は、ビーコンバースト信号のシーケンスを具備する一例となるビーコン信号を図示し、いくつかの実施形態のタイミング関係を図示するために用いられる描画１７００である。描画１７００は、横軸１７０４が時間を表す一方、縦軸１７０２は周波数（例えば、ＯＦＤＭトーンインデックス）を表す。描画１７００の一例となるビーコン信号は、ビーコンバースト１信号１７０６、ビーコンバースト２信号１７０８およびビーコンバースト３信号１７１０を含む。描画１７００の一例となるビーコン信号は、例えば、図１４の描画１４５０のコンポジットビーコン信号１４７２である。
【００８６】
ビーコンバースト信号１７０６は、２つのビーコンシンボル１７０７を含み、ビーコンバースト信号１７０８は、２つのビーコンシンボル１７０９を含み、ビーコンバースト信号１７１０は、２つのビーコンシンボル１７１１を含む。この例では、各バーストにおけるビーコンシンボルは、時間／周波数グリッドにおいて異なるビーコン送信ユニット位置で発生する。この例に加えて、位置の変更は、予め定められたトーンホッピングシーケンスに従っている。
【００８７】
時間軸１７０４に沿って、ビーコンバースト１信号１７０６に対応するビーコンバースト１信号時間インターバルＴＢ１ １７１２があり、続いてバースト時間インターバルＴＢＢ１／２ １７１８間があり、続いてビーコンバースト２信号１７０８に対応するビーコンバースト２信号時間インターバルＴＢ２ １７１４があり、続いてバースト時間インターバルＴＢＢ２／３ １７２０間があり、続いてビーコンバースト３信号１７１０に対応するビーコンバースト３信号時間インターバルＴＢ３ １７１６がある。この例では、ビーコンバースト間の時間は、隣接したバーストの時間よりも少なくとも５倍大きい。例えば、ＴＢＢ１／２＞５ＴＢ１およびＴＢＢ１／２＞５ＴＢ２であり、ＴＢＢ２／３＞５ＴＢ２およびＴＢＢ２／３＞５ＴＢ３である。この例では、各ビーコンバースト（１７０６、１７０８、１７１０）は、同じ時間継続期間（例えば、ＴＢ１＝ＴＢ２＝ＴＢ３）を有する。
【００８８】
図１８は、ビーコンバースト信号のシーケンスを具備する一例となるビーコン信号を図示し、いくつかの実施形態のタイミング関係を図示するために用いられる描画１８００である。描画１８００は、横軸１８０４が時間を表す一方、縦軸１８０２は周波数（例えば、ＯＦＤＭトーンインデックス）を表す。描画１８００の一例となるビーコン信号は、ビーコンバースト１信号１８０６、ビーコンバースト２信号１８０８およびビーコンバースト３信号１８１０を含む。描画１８００の一例となるビーコン信号は、例えば、図１４の描画１４５０のコンポジットビーコン信号１４７２である。
【００８９】
ビーコンバースト信号１８０６は、２つのビーコンシンボル１８０７を含み、ビーコンバースト信号１８０８は、２つのビーコンシンボル１８０９を含み、ビーコンバースト信号１８１０は、２つのビーコンシンボル１８１１を含む。この例では、各バーストにおけるビーコンシンボルは、時間／周波数グリッドにおいて異なるビーコン送信ユニット位置で発生する。この例に加えて、位置の変更は予め定められたトーンホッピングシーケンスに従っている。
【００９０】
時間軸１８０４に沿って、ビーコンバースト１信号１８０６に対応するビーコンバースト１信号時間インターバルＴＢ１ １８１２があり、続いてバースト間時間インターバルＴＢＢ１／２ １８１８があり、続いてビーコンバースト２信号１８０８に対応するビーコンバースト２信号時間インターバルＴＢ２ １８１４があり、続いてバースト間時間インターバルＴＢＢ２／３ １８２０があり、続いてビーコンバースト３信号１８１０に対応するビーコンバースト３信号時間インターバルＴＢ３ １８１６がある。この例では、ビーコンバースト間の時間は、隣接したバーストの時間よりも少なくとも５倍大きい。例えば、ＴＢＢ１／２＞５ＴＢ１かつＴＢＢ１／２＞５ＴＢ２であり、ＴＢＢ２／３＞５ＴＢ２かつＴＢＢ２／３＞５ＴＢ３である。この例では、各ビーコンバースト（１８０６、１８０８、１８１０）は、異なる時間継続期間（例えば、ＴＢ１≠ＴＢ２≠ＴＢ３≠ＴＢ１）を有する。コンポジットビーコン信号におけるビーコンバースト信号の少なくとも２つは、異なる継続期間を有する。
【００９１】
図１９は、無線端末がビーコン信号を送信する動作モードにおける無線端末によって分割している一例となるエアリンクリソースを図示する描画１９００である。横軸１９０４が時間を表す一方、縦軸１９０２は周波数（例えば、ＯＦＤＭトーン）を表す。この例では、ビーコン送信リソース１９０６があり、続いて他用途リソース１９０８があり、続いてビーコン送信リソース１９０６’があり、続いて他用途リソース１９０８’があり、続いてビーコン送信リソース１９０６’’があり、続いて他用途リソース１９０８’’があり、続いてビーコン送信リソース１９０６’’’があり、続いて他用途リソース１９０８’’’がある。図１９のビーコン送信リソースは、例えば、図１４のビーコンバーストに対応する一方、図１９の他用途リソースは図１４の非バーストインターバルに対応する。
【００９２】
図２０は、無線端末がビーコン信号を送信し、ユーザデータ（例えば、動作のアクティブモード）を受信および／または送信できる無線端末動作の一例となるモードのための一例となる他用途リソース（例えば、リソース２０００）を描く。他用途リソース２０００が、非バーストインターバル２００２中に発生し、ビーコンモニタリングリソース２００４、ユーザデータ送信／受信リソース２００６、およびサイレンスまたは未利用リソース２００８を含む。ビーコンモニタリングリソース２００４は、無線端末が、（例えば、他の無線端末および／または固定位置リファレンスビーコン信号送信機からの）他のビーコン信号の存在を検出するエアリンクリソース（例えば、周波数および時間の組み合わせ）を示す。ユーザデータリソース２００６は、無線端末がユーザデータを送信することができ、かつ／または、ユーザデータを受信できるエアリンクリソース（例えば、周波数および時間の組み合わせ）を表す。サイレンスエアリンクリソース２００８は、未利用のエアリンクリソースを表し、例えば、無線端末が受信も送信もしない。サイレンスリソース２００８中に、無線は、エネルギーを節約するために電力消費が下げられるスリープ状態であうることが可能であり、実際にそうでありうる。
【００９３】
図２１は、無線端末がビーコン信号（例えば、非アクティブモードおよびアクティブモード）を送信している無線端末動作の２つの例となるモードを図示する。描画２１５０が動作のアクティブモードに対応する一方、描画２１００は一例となる動作の非アクティブモードに対応する。
【００９４】
一例となる動作の非アクティブモードでは、無線端末はユーザデータを送信せずまたは受信しない。描画２１００では、無線端末によって用いられるエアリンクリソースはＮトーン２１０８を占有する。一実施形態において、Ｎは１００以上である。描画２１００では、対応している時間継続期間Ｔ１非アクティブ２１１０を備えるビーコン送信バーストリソース２１０２があり、続いて対応している時間継続期間Ｔ２非アクティブ２１１２を備えるモニタおよび受信ビーコン情報リソース２１０４があり、続いて対応している時間継続期間Ｔ３非アクティブ２１１４を備えるサイレンスリソース２１０６がある。様々な実施形態では、Ｔ１非アクティブ＜Ｔ２非アクティブ＜Ｔ３非アクティブ、Ｔ２非アクティブ＞４Ｔ１非アクティブ、Ｔ３非アクティブ＞１０Ｔ２非アクティブである。例えば、１つの例となる実施形態ではＮ＞１００、例えば１１３であり、Ｔ１非アクティブ＝５０のＯＦＤＭシンボル送信時間インターバルであり、Ｔ２非アクティブ＝２００のＯＦＤＭシンボル送信時間インターバルであり、Ｔ３非アクティブ＝２０００のＯＦＤＭシンボル送信時間インターバルである。そのような実施形態では、ビーコンシンボルにバーストビーコン信号リソースの高々１０％を占有させる場合、ビーコンシンボルは全リソースの高々約０．２２％を占有する。
【００９５】
一例となる動作のアクティブモードでは、無線端末はユーザデータを送信しおよび受信することができる。描画２１５０では、無線端末によって用いられるエアリンクリソースは、Ｎトーン２１０８を占有する。一実施形態において、Ｎは１００以上である。描画２１５０では、対応している時間継続期間Ｔ１アクティブ２１６２を備えるビーコン送信バーストリソース２１５２があり、続いて対応している時間継続期間Ｔ２アクティブ２１６４を備えるモニタおよび受信ビーコン情報リソース２１５４があり、続いて対応している時間継続期間Ｔ３アクティブ２１６６を備えるユーザデータ送信／受信リソース２１５６があり、続いて対応している時間継続期間Ｔ４アクティブ２１６８を備えるサイレンスリソース２１５８がある。様々な実施形態において、Ｔ１アクティブ＜Ｔ２アクティブ＜Ｔ３アクティブ、Ｔ２アクティブ＞４Ｔ１アクティブ、（Ｔ４アクティブ＋Ｔ３アクティブ）＞１０Ｔ２非アクティブである。様々な実施形態では、Ｔ１非アクティブ＝Ｔ１アクティブである。少なくともいくつかの異なる種類のインターバルの間にガードインターバルがある。
【００９６】
図２２は、描画２２００、および、２つのビーコンバーストを含む一例となる第１時間インターバル２２０９中に一例となる無線端末エアリンクリソース利用を図示する、対応する説明２２０２である。説明２２０２は、正方形２２０４がＯＦＤＭトーンシンボル（エアリンクリソースの基本送信ユニット）を示すことを示す。説明２２０２はまた、（１）ビーコンシンボルは陰影付き正方形２２０６によって示され、平均送信速度電力レベルＰＢで送信される、（２）ユーザデータシンボルは文字Ｄ２２０８によって示され、そのデータシンボルは、平均送信電力レベルＰＤを有するように送信され、（３）ＰＢ＞２ＰＤを示す。
【００９７】
この例では、ビーコン送信リソース２２１０は２０個のＯＦＤＭトーンシンボルを含み、ビーコンモニタリングリソース２２１２は、４０個のＯＦＤＭトーンシンボルを含み、ユーザデータ送信／受信リソース２２１４は、１００個のＯＦＤＭトーンシンボルを含み、ビーコン送信リソース２２１６は、２０個のＯＦＤＭトーンシンボルを含む。
【００９８】
ビーコン送信リソース２２１０および２２１６は、１つのビーコンシンボル２２０６をそれぞれ運ぶ。これは、ビーコンバーストシグナリングに割り当てられた送信リソースの５％を表す。ユーザデータＴＸ／ＲＸリソース２２１４の１００のＯＦＤＭシンボルのうちの４８個は、無線端末によって送信されているユーザデータシンボルを運ぶ。これは、第１時間インターバル２２０９中に無線端末によって用いられている４８／１８０のＯＦＤＭシンボルを表す。ＷＴが、ユーザデータ部分の６番目のＯＦＤＭシンボル送信時間インターバルで受信するために、ＴＸから切り替え、ユーザデータシンボルはその後、第１時間インターバル中に無線端末によって送信のために用いられる４８／９０のＯＦＤＭトーンシンボルで送信されると仮定する。無線端末がユーザデータを送信するとき、無線端末は複数のビーコン信号バーストを含む期間中に無線端末によって用いられる送信リソースの少なくとも１０％でユーザデータを送信する。
【００９９】
異なる時間で、ユーザデータ送信／受信リソースは、（例えば、時分割基底で）送受信間で分割されうることが可能であり、例えば、ユーザデータを含む送信専用にだけ、ユーザデータを含む受信専用にだけと、異なって用いられる場合がある。
【０１００】
図２３は、描画２３００、および、２つのビーコンバーストを含む一例となる第１時間インターバル２３１５中に一例となる無線端末エアリンクリソース利用を図示する、対応する説明２３０２である。説明２３０２は、正方形２３０４がＯＦＤＭトーンシンボル（エアリンクリソースの基本送信ユニット）を示すことを示す。説明２３０２はまた、（１）ビーコンシンボルは大きな垂直の矢印２３０６によって示され、平均送信電力レベルＰＢで送信される、（２）ユーザデータシンボルは、異なる位相（θ１、θ２、θ３、θ４）に対応する、例えば、ＱＰＳＫに対応する、小さな矢印２３０８、２３１０、２３１２、２３１４によってそれぞれ示され、そのデータシンボルは、平均送信電力レベルＰＤを有するように送信される、（３）ＰＢ＞２ＰＤであることを示す。
【０１０１】
この例では、ビーコン送信リソース２３１６は２０個のＯＦＤＭトーンシンボルを含み、ビーコンモニタリングリソース２３１８は４０個のＯＦＤＭトーンシンボルを含み、ユーザデータ送信／受信リソース２３２０は１００個のＯＦＤＭトーンシンボルを含み、ビーコン送信リソース２３２２は２０個のＯＦＤＭトーンシンボルを含む。
【０１０２】
ビーコン送信リソース２３１６および２３２２は、１つのビーコンシンボル２３０６をそれぞれ運ぶ。この実施形態では、ビーコンシンボルは同じ振幅および位相を有する。
【０１０３】
このビーコンシンボル量は、ビーコンバーストシグナリングに割り当てられた送信リソースの５％を表す。ユーザデータＴＸ／ＲＸリソース２３２０の１００個のＯＦＤＭシンボルのうちの４８個は、ユーザデータシンボルを運ぶ。この実施形態では、異なるデータシンボルは、異なる位相を有することができ、実際有することもある。異なるデータシンボルは、異なる振幅を有することができ、実際有することもある。このデータシンボル量は、第１時間インターバル２３１５中に無線端末によって用いられている４８／１８０のＯＦＤＭシンボルを表す。ＷＴが、ユーザデータ部分の６番目のＯＦＤＭシンボル送信時間インターバルで受信するために、ＴＸから切り替え、ユーザデータシンボルはその後、第１時間インターバル中に無線端末によって送信のために用いられる４８／９０のＯＦＤＭトーンシンボルで送信されると仮定する。無線端末がユーザデータを送信するとき、無線端末は複数のビーコン信号バーストを含む期間中に無線端末によって用いられる送信リソースの少なくとも１０％でユーザデータを送信する。
【０１０４】
異なる時間で、ユーザデータ送信／受信リソースは、（例えば、時分割基底で）送受信間で分割されうることが可能であり、例えば、ユーザデータを含む送信専用にだけ、ユーザデータを含む受信専用にだけと、異なって用いられる場合がある。
【０１０５】
図２４は、ビーコン信号に関する代替的な記述的表現を図示する。描画２４００および関連する説明２４０２は、一例となるビーコン信号を描くために用いられる。横軸２４１４はビーコンリソース時間インデックスを表す一方、縦軸２４１２は周波数（例えば、ＯＦＤＭトーンインデックス）を表す。説明２４０２は、ビーコン信号バーストが太線の矩形２４０４によって識別され、ビーコンシンボル送信ユニットが正方形ボックス２４０６によって識別され、ビーコンシンボルがボールド体Ｂ２４１６によって表わされることを識別する。ビーコン信号リソース２４１０は、１００個のビーコンシンボル送信ユニット２４０６を含む。３つのビーコンバースト信号２４０４が、時間インデックス値＝０、４および８に対応して示される。１つのビーコンシンボル２４１６は、例えば、予め定められたパターンおよび／または方程式に従って、各ビーコンバースト信号で発生し、ビーコンシンボルの位置は、ビーコン信号内で１つのバースト信号から次のバースト信号へ変更する。この実施形態では、ビーコンシンボル位置はスロープに続く。この例では、ビーコンバーストは、ビーコンバーストの継続期間の３倍で互いから分離させる。様々な実施形態では、ビーコンバーストは、ビーコンシンボルの継続期間に少なくとも２倍で互いから分離される。ビーコンバーストは、例えば、複数の連続するビーコン時間インデックスのために用いられている同じトーンで、２つ以上の連続するビーコンリソース時間インターバルを占有してもよい。ビーコンバーストは複数のビーコンシンボルを含む。いくつかのそのような実施形態では、ビーコンシンボルはビーコン信号リソースの１０％以下を占有する。
【０１０６】
図２５は、一例となるポータブル無線端末２５００（例えばモバイルノード）の図である。一例となるポータブル無線端末２５００は、図１の無線端末のいずれかであってもよい。
【０１０７】
一例となる無線端末２５００は、受信機モジュール２５０２、送信モジュール２５０４、デュプレクスモジュール２５０３、プロセッサ２５０６、ユーザＩ／Ｏデバイス２５０８、電源モジュール２５１０、および様々なエレメントがデータおよび情報を互いにやりとりしてもよいバス２５１４を経て共に接続されるメモリ２５１２を含む。
【０１０８】
受信機モジュール２５０２（例えば、ＯＦＤＭ受信機）は、他の無線端末および／または固定ロケーションビーコン送信機から信号（例えば、ビーコン信号および／またはユーザデータ信号）を受け取る。
【０１０９】
トランスミッションモジュール２５０４（例えば、ＯＦＤＭ送信機）は、他の無線端末に信号を送信し、上記送信された信号はビーコン信号およびユーザデータ信号を含む。ビーコン信号は、ビーコン信号バースト、ビーコン信号バーストのシーケンスを含み、各ビーコン信号バーストは１以上のビーコンシンボルを含み、各ビーコンシンボルはビーコンシンボル送信ユニットを占有する。１以上のビーコンシンボルは、送信されたビーコン信号バーストごとに送信モジュール２５０４によって送信される。
【０１１０】
様々な実施形態では、送信モジュール２５０４は、ビーコン信号を送信するＯＦＤＭ送信機であり、ビーコン信号は、周波数および時間の組合せであるリソースを用いて通信される。様々な他の実施形態では、送信モジュール２５０４は、ビーコン信号を送信するＣＤＭＡ送信機であり、ビーコン信号は、符号および時間の組合せであるリソースを用いて通信される。
【０１１１】
デュプレクスモジュール２５０３は、時分割デュプレックス（ＴＤＤ）スペクトルシステム実装の一部として、受信機モジュール２５０２と送信モジュール２５０４との間でアンテナ２５０５を切り替えるように制御される。デュプレクスモジュール２５０３は、無線端末２５００が信号２５８２を受信し、信号２５８８を送信するアンテナ２５０５に接続される。デュプレクスモジュール２５０３は、受信信号２５８４が伝達されるリンク２５０１を経て受信機モジュール２５０２に接続される。信号２５８４は、信号２５８２のフィルタされた表現である。信号２５８４は、例えば、モジュール２５０３はフィルタなしの通過（pass thru）デバイスとして機能し、信号２５８２と同じである。デュプレクスモジュール２５０３は、送信信号２５８６が伝達されるリンク２５０７を経て送信モジュール２５０４に接続される。信号２５８８は、信号２５８６のフィルタされた表現である。信号２５８８は、例えば、デュプレクスモジュール２５０３はフィルタなし通過デバイスとして機能し、信号２５８６と同じである。
【０１１２】
ユーザＩ／Ｏデバイス２５０８は、例えば、マイクロホン、キーボード、キーパッド、スイッチ、カメラ、スピーカ、ディスプレイなどを含む。ユーザ装置２５０８は、ユーザがデータ／情報を入力し、出力データ／情報にアクセスし、無線端末の少なくともいくつかの動作（例えば、電源投入シーケンスを初期化し、通信セッションを確立することを試み、通信セッションを終了する）を制御することを許可する。
【０１１３】
電源モジュール２５１０は、ポータブル無線端末電力のソースとして利用されるバッテリー２５１１を含む。電源モジュール２５１０の出力は、電力を提供するために電力バス２５０９を経て様々なコンポーネント（２５０２、２５０３、２５０４、２５０６、２５０８および２５１２）に接続される。それゆえ、送信モジュール２５０４は、バッテリー電力を用いてビーコン信号を送信する。
【０１１４】
メモリ２５１２は、ルーチン２５１６およびデータ／情報２５１８を含む。プロセッサ２５０６（例えばＣＰＵ）は、ルーチン２５１６を実行し、無線端末２５００の動作を制御し、方法を実装するためにメモリ２５１２におけるデータ／情報２５１８を用いる。ルーチン２５１６は、ビーコン信号生成モジュール２５２０、ユーザデータ信号生成モジュール２５２２、送信電力制御モジュール２５２４、ビーコン信号送信制御モジュール２５２６、モード制御モジュール２５２８およびデュプレクス制御モジュール２５３０を含む。
【０１１５】
ビーコン信号生成モジュール２５２０は、ビーコン信号を生成するために格納されたビーコン信号特性情報２５３２を含むメモリ２５１２におけるデータ情報２５１８を用い、ビーコン信号はビーコン信号バーストのシーケンスを含み、各ビーコン信号バーストは１以上のビーコンシンボルを含む。
【０１１６】
ユーザデータ信号生成モジュール２５２２は、ユーザデータ信号（ユーザデータシンボルを含む上記ユーザデータ信号）を生成するためにユーザデータ特性情報２５３４およびユーザデータ２５４７を含むデータ／情報２５１８を用いる。例えば、ユーザデータ２５４７を表す情報ビットは、例えば、データシンボルのセット（コンスタレーション情報２５６４に従うＯＦＤＭデータ変調シンボル）にマッピングされる。送信電力制御モジュール２５２４は、データシンボルおよびビーコンシンボルの送信電力レベルを制御するために、ビーコン電力情報２５６２およびユーザデータ電力情報２５６６を含むデータ／情報２５１８を用いる。第１期間中に、送信電力制御モジュール２５２４は、送信されたビーコンシンボルのビーコンシンボル電力レベル当たり平均よりも、少なくとも５０パーセント低いシンボル電力レベル当たり平均で送信されるべきデータシンボルを制御する。送信電力制御モジュール２５２４は、第１期間中にユーザデータを送信するために用いられるシンボルのシンボル送信電力レベル当たり平均よりも少なくとも１０ｄＢ高くするために、第１期間中に送信された各ビーコンシンボルのシンボル送信電力レベル当たり平均を制御する。送信電力制御モジュール２５２４は、第１期間中にユーザデータを送信するために用いられるシンボルのシンボル送信電力レベル当たり平均よりも少なくとも１６ｄＢ高くするために、第１期間中に送信された各ビーコンシンボルのシンボル送信電力レベル当たり平均を制御する。ビーコンシンボル電力レベルおよび１以上のデータシンボル電力レベルは、無線端末によって用いられているリファレンスに関して相互関係があり、リファレンスは変わってもよく、実際変わることがある。いくつかのそのような実施形態では、第１期間は、リファレンスレベルが変わらない時間インターバルである。
【０１１７】
ビーコン信号送信制御モジュール２５２６は、周期的にビーコン信号バーストを送信するための送信モジュール２５０４を制御するために、タイミング構造情報２５３６を含むデータ／情報２５１８を用いる。ビーコン信号バーストのシーケンスにおける２つの隣接したビーコン信号バースト間の時間期間は、２つの隣接したビーコン信号バーストのどちらかの継続期間の少なくとも５倍となるために制御される。様々な実施形態では、少なくともいくつかの異なるビーコン信号バーストは、異なる長さの期間を有する。
【０１１８】
モード制御モジュール２５２８は、モード情報２５４０によって識別されている現在の動作モードで端末の動作モードを制御する。様々な動作モードは、ＯＦＦモード、受信専用モード、非アクティブモードおよびアクティブモードを含む。非アクティブモードでは、無線端末はビーコン信号を送信し受信することができるが、ユーザデータを送信することは許可されない。アクティブモードでは、無線はビーコン信号に加えてユーザデータ信号を送信し受信することができる。非アクティブモードでは、無線端末は、動作のアクティブモードよりも長い間、サイレンス（例えば、スリープ、低電力消費の状態）にある。
【０１１９】
デュプレクス制御モジュール２５３０は、ＴＤＤシステムタイミング情報および／またはユーザニーズに応じて、受信機モジュール２５０２と送信モジュール２５０４との間でアンテナ結合を切り替えるためにデュプレクスモジュール２５０３を制御する。例えば、タイミング構造におけるユーザデータインターバルは、無線端末ニーズの機能である選択を受信するかまたは送信するのに利用可能である。様々な実施形態では、電力を節約するために使用中でない場合、デュプレクス制御モジュール２５３０はまた、受信機モジュール２５０２および／または送信モジュール２５０４における少なくともいくつかの回路をシャットダウンするために動作する。
【０１２０】
データ／情報２５１８は、格納されたビーコン信号特性情報２５３２、ユーザデータ特性情報２５３４、タイミング構造情報２５３６、エアリンクリソース情報２５３８、モード情報２５４０、生成されたビーコン信号情報２５４２、生成されたデータ信号情報２５４４、デュプレクス制御信号情報２５４６およびユーザデータ２５４７を含む。格納されたビーコン信号特性情報２５３２は、ビーコンバースト情報（ビーコンバースト１情報２５４８、・・・、ビーコンバーストＮ情報２５５０）の１以上のセット、ビーコンシンボル情報２５６０および電力情報２５６２を含む。
【０１２１】
ビーコンバースト１情報２５４８は、ビーコンシンボルを運ぶビーコン送信ユニットを識別する情報２５５６およびビーコンバースト継続期間情報２５５８を含む。ビーコンシンボルを運ぶビーコン送信ユニットを識別する情報２５５６は、ビーコン信号バーストにおけるビーコン送信ユニットがビーコンシンボルによって占有されることになっていることを識別する際、ビーコン信号生成モジュール２５２０によって用いられる。様々な実施形態では、ビーコンバーストの他のビーコン送信ユニットは、ヌル（例えば、送信電力がそれらの他のビーコン送信ユニットに関して適用されない）となるように設定される。ビーコン信号バーストにおけるビーコンシンボル数は、利用可能なビーコンシンボル送信ユニットの１０パーセント未満を占有する。ビーコン信号バーストにおけるビーコンシンボル数は、利用可能なビーコンシンボル送信ユニットの１０パーセント以下を占有する。ビーコン信号バースト継続期間情報２５５８は、ビーコンバースト１の期間を定義する情報を含む。いくつかの実施形態では、ビーコンバーストのそれぞれは同じ継続期間を有し、一方他の実施形態では、同じコンポジットビーコン信号内の異なるビーコンバーストは異なる継続期間を有することができ、実際有することもある。ビーコンバーストのシーケンスにおける１つのビーコンバーストは異なる継続期間を有し、これは同期目的のために有用である可能性がある。
【０１２２】
ビーコンシンボル情報２５６０は、ビーコンシンボルを定義する情報、例えば、ビーコンシンボルの特性および／または変調値を含む。様々な実施形態では、同じビーコンシンボル値は、情報２５５６におけるビーコンシンボルを運ぶために識別された位置ごとに用いられ、例えば、ビーコンシンボルは同じ振幅および位相を有する。様々な実施形態では、異なるビーコンシンボル値は、情報２５５６におけるビーコンシンボルを運ぶために識別された位置の少なくともいくつかに用いられることができ、実際用いられることもあり、例えば、ビーコンシンボル値は同じ振幅を有するが、２つの潜在的な位相のうちの１つを有することができ、それゆえビーコン信号を経た追加情報の通信を容易にする。電力情報２５６２は、例えば、ビーコンシンボル送信に関して用いられる電力利得スケール係数情報を含む。
【０１２３】
ユーザデータ特性情報２５３４は、コンスタレーション情報２５６４および電力情報２５６６を含む。コンスタレーション情報２５６４は、例えばＱＰＳＫ、ＱＡＭ  １６、ＱＡＭ６４、および／またはＱＡＭ２５６など、コンスタレーションに関連する変調シンボル値を識別する。電力情報２５６６は、例えばデータシンボル送信に関して用いられる電力利得スケール係数情報を含む。
【０１２４】
タイミング構造情報２５３６は、様々な動作に関連するインターバルを識別する情報、例えばビーコン送信時間インターバル、他の無線端末および／または固定ロケーションビーコン送信機に関してモニタするためのインターバル、ユーザデータインターバル、サイレンス、例えば、スリープ、インターバルなどを含む。タイミング構造情報２５３６は、ビーコンバースト継続期間情報２５７４、ビーコンバースト情報２５７６、パターン情報２５７８およびデータシグナリング情報２５８０を含む送信タイミング構造情報２５７２を含む。
【０１２５】
ビーコンバースト継続期間情報２５７４は、ビーコンバーストの継続期間が一定、例えば、１００個の連続するＯＦＤＭ送信時間インターバルであることを識別する。ビーコンバースト継続期間情報２５７４は、ビーコンバーストの継続期間が、例えば、パターン情報２５７８によって指定された予め定められたパターンに従って変化することを識別する。様々な実施形態では、予め定められたパターンは、無線端末識別子の関数である。他の実施形態では、予め定められたパターンは、システムにおいて全ての無線端末に対して同じである。予め定められたパターンは擬似ランダムパターンである。
【０１２６】
ビーコンバースト継続期間情報２５７４およびビーコンバースト間隔情報２５７６は、ビーコンバーストの期間が、ビーコンバーストの終わりから次のビーコンバーストの先頭までの時間のインターバルよりも少なくとも５０倍短いことを示す。ビーコンバースト間隔情報２５７６は、ビーコンバースト間の間隔が、無線端末がビーコン信号を送信している期間中に周期的なやり方において発生するビーコンバーストによらず一定であることを示す。ビーコンバースト間隔情報２５７６は、無線端末が非アクティブモードであろうとアクティブモードであろうと、ビーコンバーストが同じインターバル間隔に送信されることを示す。他の実施形態では、ビーコンバースト間隔情報２５７６は、ビーコンバーストが（例えば、無線端末が非アクティブモードにあろうとまたはアクティブモードにあろうと）無線端末動作モードの関数として異なるインターバル間隔で送信されることを示す。
【０１２７】
エアリンクリソース情報２５３８は、ビーコン送信リソース情報２５６８および他用途リソース情報２５７０を含む。エアリンクリソースは、（例えば、ＴＤＤシステムのような無線通信システムの一部として）周波数時間グリッドにおけるＯＦＤＭトーンシンボルに関して定義される。ビーコン送信リソース情報２５６８は、ビーコン信号に関してＷＴ２５００に割り当てられたエアリンクリソース（例えば、少なくとも１つのビーコンシンボルを含むビーコンバーストを送信するために用いられるべきＯＦＤＭトーンシンボルのブロック）を識別する情報を含む。ビーコン送信リソース情報２５６８はまた、ビーコン送信ユニットを識別する情報を含む。いくつかの実施形態では、ビーコン送信ユニットは単一のＯＦＤＭトーンシンボルである。ビーコン送信ユニットは、ＯＦＤＭ送信ユニットのセット、例えば、連続的なＯＦＤＭトーンシンボルのセットである。他用途リソース情報２５７０は、他の目的、例えばビーコン信号モニタリング、受信／送信ユーザデータのような目的のためにＷＴ２５００によって用いられるべきエアリンクリソースを識別する情報を含む。エアリンクリソースのいくつかは、例えば、電力を節約するサイレンス状態（例えばスリープ状態）に対応して、故意に用いられなくてもよいし、実際用いられないこともある。いくつかの実施形態では、ビーコンシンボルはＯＦＤＭトーンシンボルのエアリンクリソースを用いて送信され、ビーコンシンボルは、複数のビーコン信号バーストおよび少なくとも１つのユーザデータ信号を含む期間中に上記無線端末によって用いられる送信リソースのトーンシンボルの１パーセント未満を占有する。様々な実施形態では、ビーコン信号は、期間の一部におけるトーンシンボルの０．３パーセント未満を占有し、上記期間の上記一部は、１つのビーコン信号バーストおよび連続するビーコン信号バースト間の１つのインターバルを含む。様々な実施形態では、ビーコン信号は、期間の一部におけるトーンシンボルの０．１パーセント未満を占有し、上記期間の上記一部は、１つのビーコン信号バーストおよび連続するビーコン信号バースト間の１つのインターバルを含む。様々な実施形態では、少なくともいくつかの動作モード（例えば、動作のアクティブモード）中に送信モジュール２５０４はユーザデータを送信することができ、無線端末がユーザデータを送信する場合、ユーザデータは、ユーザデータ信号送信および２つの隣接したビーコン信号バーストを含む期間中に上記無線端末によって用いられる送信リソースのトーンシンボルの少なくとも１０パーセントで送信される。
【０１２８】
生成されたデータ信号２５４４がユーザデータ信号生成モジュール２５２２の出力である一方、生成されたビーコン信号２５４２はビーコン信号生成モジュール２５２０の出力である。生成された信号（２５４２、２５４４）は、送信モジュール２５０４に向けられる。ユーザデータ２５４７は、例えば、ユーザデータ信号生成モジュール２５２２による入力として用いられるファイルデータ／情報、テキスト、イメージ、音声、オーディオを含む。デュプレクス制御信号２５４６は、デュプレクス制御モジュール２５３０の出力を表し、出力信号２５４６は、アンテナ切り替えを制御するデュプレクスモジュール２５０３に、および／または、少なくとも何らかの回路をシャットダウンして電力を節約するための送信機モジュール２５０４または受信機モジュール２５０２に向けられる。
【０１２９】
図２６は、通信デバイス（例えば、電池式の無線端末）を操作する一例となる方法のフローチャート２６００の図面である。操作はステップ２６０２から開始し、通信デバイスは電源を入れられ、初期化される。操作は、開始ステップ２６０２からステップ２６０４およびステップ２６０６に進む。
【０１３０】
ステップ２６０４では、現行の基底で行われ、通信デバイスは時間情報を保持する。時間情報２６０５は、ステップ２６０４から出力され、ステップ２６０６において用いられる。ステップ２６０６では、通信デバイスは、時間期間がビーコン受信時間期間、ビーコン送信時間期間、またはサイレンス時間期間であるかどうかを決定し、決定に依存して異なって進む。時間期間がビーコン受信時間期間である場合、動作はステップ２６０６からステップ２６１０に進み、通信デバイスはビーコン信号検出動作を行う。
【０１３１】
時間期間がビーコン送信時間期間である場合、動作はステップ２６０６からステップ２６２０に進み、通信デバイスは、ビーコン信号の少なくとも一部分を送信し、上記送信された一部分は少なくとも１つのビーコンシンボルを含む。
【０１３２】
時間期間がサイレンス時間期間である場合、その後動作はステップ２６０６からステップ２６２２に進み、通信デバイスは、送信することをやめ、ビーコン信号を検出するために動作することをやめる。通信デバイスは、ステップ２６２２においてサイレンス（例えば、スリープ）モードに入り、バッテリー電力を節約する。
【０１３３】
ステップ２６１０に戻ると、動作はステップ２６１０からステップ２６１２に進む。ステップ２６１２では、通信デバイスは、ビーコンが検出されたかどうかを決定する。ビーコンが検出されている場合、動作はステップ２６１２からステップ２６１４に進む。しかし、ビーコンが検出されなかった場合、動作はステップ２６１２からコネクティングノードＡ２６１３を経てステップ２６０６に進む。ステップ２６１４では、通信デバイスは、受信信号の検出された一部分に基づいて通信デバイス送信時間を調整する。ステップ２６１４から得られた調整情報２６１５は、ステップ２６０４における通信デバイスに関する時間情報を維持することに用いられる。タイミング調整は、ビーコン信号を受信するために受信ビーコン信号の一部分を送信したデバイスによって用いられると知られている時間期間中に発生するように、ビーコン信号送信期間を調整する。動作はステップ２６１４からステップ２６１６に移り、通信デバイスは、調整された通信デバイス送信タイミング（例えば、ビーコン信号）に従って信号を送信する。その後、ステップ２６１８では、通信デバイスは、ビーコン信号の検出された一部分が受信されたデバイスとの通信セッションを確立する。動作は、コネクティングノードＡ２６１３を経てステップ２６２２、２６２０、または２６１８のうちのいずれかからステップ２６０６に移る。
【０１３４】
ステップ２６０４は、サブステップ２６０８および２６０９の少なくとも１つを含む。サブステップ２６０８では、通信デバイスは、時間期間のような繰り返しシーケンスにおいてビーコン受信時間期間およびビーコン送信時間期間の少なくとも１つの開始を擬似ランダムに調整する。例えば、特定の時間（例えば、電源を入れた後または新しい領域に入ること）での通信装置は、任意の他の通信装置に関して同期されなくてもよく、繰り返し時間構造において制限されたビーコン検出時間インターバルを有する間、別の通信デバイスからビーコン信号を検出する確率を増加するために、サブステップ２６０８を１回以上行ってもよい。それゆえ、サブステップ２６０８は、２つのピア間の関係タイミングを効果的にシフトすることができる。サブステップ２６０９では、通信デバイスは、周期的基底で発生するべきビーコン受信および送信時間期間を設定する。
【０１３５】
様々な実施形態では、ビーコン受信時間期間はビーコン送信時間期間より長い。ビーコン受信および送信時間期間は、非オーバーラップであり、ビーコン受信時間期間はビーコン送信時間期間の少なくとも２倍である。サイレンス期間は、ビーコン受信およびビーコン送信時間期間の間で発生する。様々な実施形態では、サイレンス期間は、ビーコン送信時間期間およびビーコン受信時間期間のうちの１つの少なくとも２倍である。
【０１３６】
図２７は、ポータブル無線端末２７００（例えば、モバイルノード）である一例となる通信デバイスの図面である。一例となるポータブル無線端末２７００は、図１の無線端末のいずれかであってもよい。一例となる無線端末２７００は、例えば、モバイルノード間のピア−ピア直接通信をサポートする時分割デュプレックス（ＴＤＤ）直交周波数分割多重（ＯＦＤＭ）無線通信システムの一部である通信デバイスである。一例となる無線端末２７００は、ビーコン信号を送信し受信することができる。一例となる無線端末２７００は、タイミング同期を確立するために、例えば、ビーコン信号を送信するピア無線端末からおよび／または固定ビーコン送信機からの、検出されたビーコン信号に基づいてタイミング調整を行う。
【０１３７】
一例となる無線端末２７００は、受信機モジュール２７０２、送信モジュール２７０４、デュプレクスモジュール２７０３、プロセッサ２７０６、ユーザＩ／Ｏデバイス２７０８、電源モジュール２７１０、および様々なエレメントがデータおよび情報を互いに交換してもよいバス２７１４を経て共に接続されるメモリ２７１２を含む。
【０１３８】
受信機モジュール２７０２（例えば、ＯＦＤＭ受信機）は、他の無線端末および／または固定ロケーションビーコン送信機から信号（例えば、ビーコン信号および／またはユーザデータ信号）を受信する。
【０１３９】
送信モジュール２７０４（例えば、ＯＦＤＭ送信機）は、他の無線端末へ信号を送信し、上記送信された信号はビーコン信号およびユーザデータ信号を含む。ビーコン信号は、ビーコン信号バーストのシーケンスを含み、各ビーコン信号は１以上のビーコンシンボルを含み、各ビーコンシンボルはビーコンシンボル送信ユニットを占有する。１以上のビーコンシンボルは、送信されたビーコン信号バーストごとに送信モジュール２７０４によって送信される。送信モジュール２７０４は、ビーコン送信時間期間中にビーコン信号の少なくとも一部分（例えば、ビーコンバースト信号）を送信し、上記送信された一部分は少なくとも１つのビーコンシンボル（例えば、ユーザデータシンボルの電力レベルに対して比較的高い電力トーン）を含む。
【０１４０】
様々な実施形態では、送信モジュール２７０４は、ビーコン信号を送信するＯＦＤＭ送信機であり、ビーコン信号は、周波数と時間との組合せであるリソースを用いて通信される。様々な他の実施形態では、送信モジュール２７０４は、ビーコン信号を送信するＣＤＭＡ送信機であり、ビーコン信号は、符号と時間との組合せであるリソースを用いて通信される。
【０１４１】
デュプレクスモジュール２７０３は時分割デュプレックス（ＴＤＤ）実装の一部として、受信機モジュール２７０２と送信モジュール２７０４の間でアンテナ２７０５を切り替えるように制御される。デュプレクスモジュール２７０３は、無線端末２７００が信号２７７８を受け取り、信号２７８０を送信するアンテナ２７０５に接続される。デュプレクスモジュール２７０３は、受信信号２７８２が伝達されるリンク２７０１を経て受信機モジュール２７０２に接続される。信号２７８２は、信号２７７８のフィルタされた表現である。信号２７８２は信号２７７８と同じであり、例えば、デュプレクスモジュール２７０３はフィルタしない通過デバイスとして機能する。デュプレクスモジュール２７０３は、送信信号２７８４が伝達されるリンク２７０７を経て送信モジュール２７０４に接続される。信号２７８０は、信号２７８４のフィルタされた表現である。信号２７８０は信号２７８４と同一であり、例えば、デュプレクスモジュール２７０３はフィルタしない通過デバイスとして機能する。
【０１４２】
ユーザＩ／Ｏデバイス２７０８、例えば、マイクロホン、キーボード、キーパッド、スイッチ、カメラ、スピーカ、ディスプレイなどを含む。ユーザ装置２７０８は、ユーザがデータ／情報を入力し、出力データ／情報にアクセスし、無線端末の少なくともいくつかの動作（例えば、電源投入シーケンスを初期化し、通信セッションを確立するのを試み、通信セッションを終了する）を制御することを許可する。
【０１４３】
電源モジュール２７１０は、ポータブル無線端末電力のソースとして利用されるバッテリー２７１１を含む。電源モジュール２７１０の出力は、電力を供給するために電力バス２７０９を経て様々なコンポーネント（２７０２、２７０３、２７０４、２７０６、２７０８および２７１２）に接続される。それゆえ、送信モジュール２７０４は、バッテリー電力を用いて、ビーコン信号を送信する。
【０１４４】
メモリ２７１２は、ルーチン２７１６およびデータ／情報２７１８を含む。プロセッサ２７０６（例えば、ＣＰＵ）は、ルーチン２７１６を実行し、方法を実装し、無線端末２７００の動作を制御するためにメモリ２７１２におけるデータ／情報２７１８を用いる。ルーチン２７１６は、ビーコン信号検出モジュール２７２０、サイレンス状態制御モジュール２７２２、送信時間調整モジュール２７２４、送信制御モジュール２７２６、通信セッション初期化モジュール２７２８、ビーコン検出制御モジュール２７３０、タイミング調整モジュール２７３２、モード制御モジュール２７３４、ビーコン信号生成モジュール２７３６、ユーザデータ信号生成モジュール２７３８、ユーザデータリカバリモジュール２７４０およびデュプレクス制御モジュール２７４２を含む。
【０１４５】
ビーコン信号検出モジュール２７２０は、ビーコン信号の少なくとも一部分の受信を検出するために、ビーコン受信時間期間中にビーコン信号検出動作を行う。加えて、ビーコン信号検出モジュール２７２０は、検出されたビーコン信号の一部分に応じて、ビーコン信号の一部分の受信を示す検出されたビーコンフラグ２７５０を設定する。検出されたビーコン信号の一部分２７５４は、ビーコン信号検出モジュール２７２０の出力である。加えて、ビーコン信号検出モジュール２７２０は、検出されたビーコン信号に応じてビーコン信号の一部分の受信を示す、検出されたビーコンフラグ２７５０を設定する。ビーコン信号検出モジュール２７２０は、エネルギーレベル比較に応じて検出を行う。ビーコン信号検出モジュール２７２０は、例えば、ビーコンバーストに対応するモニタされたエアリンクリソースにおいて、検出されたビーコンシンボルパターン情報に応じて検出を行う。
【０１４６】
ビーコン信号検出モジュール２７２０は、検出されたビーコン信号の一部分（例えば、ソース（例えば、ビーコン信号を送信した無線端末）を識別する情報）から情報をリカバリする。例えば、異なる無線端末は、異なるビーコンバーストパターンおよび／または符号定数（signatures）を有してもよく、実際有することがある。
【０１４７】
サイレンス状態制御モジュール２７２２は、ビーコン信号を検出するための操作も送信もしないために、例えば、ビーコン受信およびビーコン送信時間期間の間で発生するサイレンス期間中で無線端末動作を制御する。
【０１４８】
送信時間調整モジュール２７２４は、受信ビーコン信号の検出された一部分に基づいて通信デバイスの送信時間を調整する。例えば、通信システムは、例えばアドホックネットワークであり、受信ビーコン信号の一部分は別の無線端末が提供していることを考慮する。別の例として、システムがリファレンスとしての機能を果たす固定ロケーションビーコン送信機を含むことを考慮すると、検出されたビーコン信号の一部分が上記送信機から供給される。送信時間調整モジュール２７２４は、リファレンスに関して同期するために無線端末の送信時間を調整する。あるいは、システムが固定ロケーションビーコン送信機を含まず、無線端末が現在上記ビーコン信号を検出することができないことを考慮すると、検出されたビーコン信号の一部分が別の無線端末から供給され、その後、送信時間調整モジュール２７２４は、ビーコン信号を送信したピア無線端末に関して同期するために無線端末の送信時間を調整する。固定ロケーションビーコンおよび無線端末ビーコンの両方を含めて、システム同期の粗いレベル（coarse level）を実現するために利用可能な場合、固定ロケーションビーコンは用いられ、無線端末ビーコンはピア間のより高い段階の同期を実現するために用いられる。検出されたビーコン信号の一部分２７５６に基づいた検出されたタイミングオフセットは、送信時間調整モジュール２７２４の出力である。
【０１４９】
様々な実施形態では、送信時間調整モジュール２７２４は、ビーコン信号を受信するために受信された一部分を送信したデバイス（例えば、他の無線端末）によって用いられると知られている時間期間中に発生するためにビーコン信号送信期間を調整する。それゆえ、送信時間調整モジュール２７２４は、ピアがビーコンを検出するのを試みている時間ウィンドウと衝突すると期待されるように、送信されるべきＷＴ２７００のビーコンを設定する。
【０１５０】
送信制御モジュール２７２６は、信号（例えば、ビーコン信号）を送信するように調整された通信デバイス送信タイミングに従って、送信モジュール２７０４を制御する。格納された通信セッション状態情報２７５８が確立されたセッションが進行中であることを示す場合、設定されているセッションアクティブフラグ２７６０によって、送信制御モジュール２７２６は、ビーコン信号の一部分送信動作を繰り返すために送信モジュール２７０４を制御する。送信制御モジュール２７２６は、無線端末動作のアクティブおよび非アクティブモードの両方においてビーコン信号の一部分送信動作を繰り返すために無線端末を制御する。
【０１５１】
通信セッション初期化モジュール２７２８は、ビーコン信号が受信された別の無線端末と通信セッションを確立するために、動作を制御するために用いられる。例えば、ビーコン信号検出の後に、ビーコン信号が別の無線端末から供給され、無線端末２７００が上記別の無線端末と通信セッションを確立することを望む場合に、モジュール２７２８は通信セッションを初期化することを開始するためにアクティブにされ、例えば、予め定められたプロトコルに従ってハンドシェイク信号を処理し生成する。
【０１５２】
ビーコン検出制御モジュール２７３０は、ビーコン信号検出モジュール２７２０動作を制御する。例えば、格納された通信セッション状態情報２７５８が確立されたセッションが進行中であることを示すとき、設定されているセッションアクティブフラグ２７６０によって、ビーコン検出制御モジュール２７３０は、検出動作を繰り返すためにビーコン信号検出モジュール２７２０を制御する。ビーコン検出制御モジュール２７３０は、無線端末動作の非アクティブおよびアクティブモードの両方において、ビーコン検出動作を繰り返すために無線端末を制御する。
【０１５３】
タイミング調整モジュール２７３２は、そのようなタイムピリオドの繰り返しシーケンスにおける、ビーコン送信期間およびビーコン受信期間の少なくとも１つの開始を擬似ランダムに調整する。疑似ランダムベースのタイミングオフセット２７５２は、タイミング調整モジュール２７３２の出力である。タイミング調整モジュール２７３２は、ビーコン送信および／またはビーコン検出時間インターバルを制限する間、互いの存在を検出できるピアおよび無線端末の尤度が増加するように、独立に動作する他の無線端末に関する無線端末のタイミング構造をシフトするために用いられる。
【０１５４】
モード制御モジュール２７３４は、通信デバイスがビーコン信号を送信する第１および第２動作モードにおいて、異なる時期中に動作するために通信デバイスを制御する。例えば、第１動作モードは、通信デバイスがビーコン信号を送信し、ビーコン信号を検出するが、ユーザデータを送信することから制限される非アクティブモードであり、第２動作モードは、通信デバイスがビーコン信号を送信し、ビーコン信号を検出し、ユーザデータを送信することを許可するアクティブモードである。モード制御モジュール２７３４が操作するための通信デバイスを制御することができる別の動作モードは、無線端末がビーコン信号を検索するが送信することを許可されない検索モードである。
【０１５５】
ビーコン信号生成モジュール２７３６は、送信モジュール２７０４によって送信されるビーコン信号の一部分２７４８（例えば、少なくとも１つのビーコンシンボルを含むビーコンバースト）を生成する。ユーザデータ信号生成モジュール２７３８は、ユーザデータ信号２７７４（例えば音声データ、他のオーディオデータ、イメージデータ、テキストデータ、ファイルデータなどのようなユーザデータの符号化ブロックを伝達する信号）を生成する。無線端末がアクティブモードにあり、ユーザデータ送信／受信信号を確保する時間インターバル中に、生成されたユーザデータ信号２７７４が送信されるとき、ユーザデータ信号生成モジュール２７３８はアクティブである。ユーザデータリカバリモジュール２７４０は、無線端末２７００との通信セッションにおけるピアから受信した受信ユーザデータ信号２７７６からユーザデータをリカバリする。受信ユーザデータ信号２７７６は、無線端末がユーザデータ送信／受信信号に確保される時間インターバル中に動作のアクティブモードにある間、受信モジュール２７０２を経て受信される。
【０１５６】
デュプレクス制御モジュール２７４２は、デュプレクスモジュール２７０３の動作を制御する、例えば、受信時間インターバル（例えば、ビーコンモニタリング時間インターバルおよびユーザデータを受信するためのインターバル）のために受信機モジュール２７０２に接続されるべきアンテナ２７０５を制御し、そして、送信時間インターバル（例えば、ビーコン送信時間インターバルおよびユーザデータを送信するためのインターバル）のために送信モジュール２７０４に接続されるべきアンテナ２７０５を制御する。デュプレクス制御モジュール２７４２はまた、ある時間インターバル中に電源が落とされるべき受信機モジュール２７０２および送信モジュール２７０４の少なくとも１つにおけるいくつかの回路を少なくとも制御し、それによって、バッテリー電力を節約する。
【０１５７】
データ／情報２７１８は、現在モード情報２７４４、現在時間情報２７４６、生成されたビーコン信号の一部分２７４８、検出されたビーコンフラグ２７５０、疑似ランダムに基づいたタイミングオフセット２７５２、検出されたビーコン信号の一部分２７５４、検出されたビーコン信号の一部分に基づいて決定されたタイミングオフセット２７５６、通信セッション状態情報２７５８、タイミング構造情報２７６４、モード情報２７６８、生成されたユーザデータ信号２７７４、および受信ユーザデータ信号２７７６を含む。
【０１５８】
現在モード情報２７４４は、無線端末の現在の動作モード、サブモードおよび／または動作の状態を識別する情報、例えば、無線端末が受信はするが送信しないモードにあるかどうか、無線端末がビーコン信号送信を含むがユーザデータ送信を許可しない非アクティブモードにあるかどうか、または、無線端末がビーコン信号送信を含みかつユーザデータ送信を許可するアクティブモードにあるかどうかを含む。
【０１５９】
現在時間情報２７４６は、無線端末によって維持されている繰り返しタイミング構造内のその位置に関する無線端末時間（例えば、構造内のインデックスが付されたＯＦＤＭシンボル送信期間）を識別する情報を含む。現在時間情報２７４６はまた、（例えば、別の無線端末または固定ロケーションビーコン送信機の）別のタイミング構造に関する無線端末の時間を識別する情報を含む。
【０１６０】
通信セッション状態情報２７５８は、セッションアクティブフラグ２７６０およびピアノード識別情報２７６２を含む。セッションアクティブフラグ２７６０は、セッションが常にアクティブかどうかを示す。例えば、ＷＴ２７００との通信セッションにおけるピアノードは電源を落とし、無線端末２７００はピアのビーコン信号を検出するのを止め、セッションアクティブフラグが消去される。ピアノード識別情報２７６２は、ピアを識別する情報を含む。様々な実施形態では、ピアノードＩＤ情報は、ビーコン信号を経て、少なくとも部分的に伝達される。
【０１６１】
タイミング構造情報２７６４は、例えば、ビーコン送信インターバル、ビーコン検出インターバル、ユーザデータシグナリングインターバルおよびサイレンスインターバルのような様々なインターバルの間隔、順序および継続期間を定義する情報を含む。タイミング構造情報２７６４は、インターバルのタイミング関係情報２７６６を含む。インターバルのタイミング関係情報２７６６は、例えば、（１）ビーコン受信期間がビーコン送信期間よりも長い、（２）ビーコン受信およびビーコン送信期間が非オーバーラップである、（３）ビーコン受信期間が、継続期間におけるビーコン送信期間の少なくとも２倍である、（４）サイレンス期間は、ビーコン送信期間およびビーコン受信期間のうちの１つの少なくとも２倍である、ことを定義する情報を含む。
【０１６２】
モード情報２７６８は、初期検索モード情報２７６９、非アクティブモード情報２７７０およびアクティブモード情報２７７２を含む。初期検索モード情報２７６９は、ビーコン信号の初期拡張された継続期間検索モードを定義する情報を含む。初期検索の継続期間は、ビーコンバースト信号のシーケンスを送信している他の無線端末によって連続するビーコンバースト送信間で期待されたインターバルを超える。初期検索モード情報２７６９は、電源を入れるときに初期検索を行うために用いられる。加えて、いくつかの実施形態では、無線端末は、例えば、非アクティブモードにある間に他のビーコン信号が検出されなかった場合、および／または、無線端末が非アクティブモードを用いて実現されるよりもより速いおよび／またはより完全なビーコン検索を行いたい場合、非アクティブモードから初期の探索モードに時々入る。非アクティブモード情報２７７０は、ビーコン信号インターバル、ビーコンモニタリングインターバルおよびサイレンスインターバルを含む無線端末動作の非アクティブモードを定義する。非アクティブモードは、無線端末がサイレンスモードにおいてエネルギーを節約する電力セーブモードにあるにもかかわらず、ビーコン信号によってその存在を示すことができ、制限された継続期間ビーコンモニタリングインターバルによって他の無線端末の存在の状況意識を維持することができる。アクティブモード情報２７７２は、ビーコン信号送信インターバル、ビーコンモニタリングインターバル、ユーザデータＴＸ／ＲＸインターバルおよびサイレンスインターバルを含む無線端末動作のアクティブモードを定義する。
【０１６３】
図２８は、無線端末のビーコン信号の利用によって互いの存在に気付くようになりタイミング同期を実現するアドホックネットワークにおける２つの無線端末に関する一例となる時系列、イベントのシーケンスおよび動作を図示する描画２８００である。横軸２８０１は時系列を表す。時間２８０２では、ブロック２８０４によって示されるように、無線端末１は電源を入れ、ビーコン信号に関する初期モニタリングを開始する。モニタリングは時間２８０６まで継続し、どの無線端末においても、他の端末を発見しないという結果でその初期検索を完了したとき、その後無線端末１は、ブロック２８０８によって図示されるように、無線端末１がビーコン信号バーストを送信するビーコン送信インターバル、無線端末がビーコン信号についてモニタするビーコンモニタリングインターバル、無線端末が送信も受信もせず、それゆえ電力を節約するサイレンスインターバルの繰り返しを含む動作の非アクティブモードに入る。
【０１６４】
その後、時間２８１０では、無線端末２は、ブロック２８１２によって示されるように電源を入れ、初期ビーコンモニタリングを開始する。その後、時間２８１４では、無線端末２は、無線端末１からのビーコン信号を検出し、無線端末１との通信セッションを確立しようとすることを決め、ブロック２８１５によって示されるように、無線端末が無線端末１ビーコンモニタリングインターバル中に無線端末２からビーコン信号バーストを受信するように時間オフセットを決定する。
【０１６５】
時間２８１６では、無線端末２は、ビーコン送信インターバル、モニタリングインターバル、およびユーザデータインターバルの繰り返し含むアクティブモードに入り、時間２８１６では、無線端末２は、ブロック２８１８によって示されるように、ステップ２８１５の決定された時間オフセットに従ってビーコン信号を送信する。その後無線端末１は、ブロック２８２０によって示されるように、無線端末２からのビーコン信号を検出して、アクティブモードに切り替える。
【０１６６】
時間インターバル２８１６と２８２４との間で、無線端末１および無線端末２は、通信セッションを確立するために信号を交換し、その後、ブロック２８２２によって示されるように、ユーザデータを交換するセッションに参加する。さらに、この時間インターバル中に、セッション中に受信されるビーコン信号は、タイミングを更新し、同期を維持するために用いられる。無線端末１および無線端末２は、通信セッション中に移動していることができるモバイルノードであってもよいし、実際そうでありうる。
【０１６７】
時間２８２４では、ブロック２８２６によって示されるように、無線端末１は電源を落とす。その後時間２８２８では、無線端末２は、ブロック２８３０によって示されるように、信号が無線端末１から失われていて、無線端末が非アクティブモードに遷移することを決定する。信号は、他の条件、例えばチャネル状態がセッションを維持するために不十分となるように互いから十分に遠くに移動する無線端末１および２のために、失われうるし、実際失うこともある。
【０１６８】
矢印のシーケンス２８３４が無線端末２のビーコン信号バーストを図示する一方、矢印のシーケンス２８３２は無線端末１のビーコン信号バーストを図示する。無線端末１からの受信ビーコン信号に応じて、無線端末１が、そのビーコン信号モニタリングインターバル中に無線端末２からのビーコン信号バーストを検出することができるように、２つの無線端末間のタイミングが同期されたことを注意すべきである。
【０１６９】
この例では、電源が入った無線端末は、ビーコンが検出されるまで、または、初期ビーコンモニタリング期間が終了するまでのどちらかが最初に来るまで初期ビーコンモニタリング期間中にモニタリングを行う。初期ビーコンモニタリング期間は、例えば、ビーコン送信インターバルを含む１つの繰り返しを超える継続期間を有する拡張された継続期間モニタリング期間である。この例では、初期ビーコンモニタリング期間は、ビーコン信号が送信されるモードに入る前に行われる。非アクティブモードにおける無線端末は、例えば、２つの無線端末が同時にスタートアップすることが起こるべきコーナーケース状態（corner case condition）を補うために、長い継続時間ビーコンモニタリングインターバルに時々入る。上記非アクティブモードは、ビーコン送信インターバル、ビーコンモニタリングインターバルおよびサイレンスインターバルを含む。
【０１７０】
他のいくつかの実施形態では、無線端末は非アクティブモードに入る。上記非アクティブモードは、拡張されたビーコンモニタリングインターバルを最初に有することなく電源を入れたあとに続く制限された継続期間ビーコンモニタリングインターバルおよびビーコン送信インターバルを含む。いくつかのそのような実施形態では、無線端末は、それ自身のビーコンモニタリングインターバルと他の無線端末ビーコン送信インターバルとの間の配置を容易にするために、他のビーコン信号を検索する間に、擬似ランダム時間シフトを行ってもよいし、実際行うこともある。
【０１７１】
図２９の描画２９００は、一例となる実施形態に従うビーコン信号に基づいた２つの無線端末間の一例となる同期タイミングを図示する。描画２９０４は、無線端末１に関するタイミング構造情報を含む一方、描画２９０２は、無線端末２に関するタイミング構造情報を含む。描画２９００は、例えば、無線端末１からのビーコン信号を検出する無線端末２に基づいて無線端末がタイミング同期した後に図２８に対応してもよい。描画２９０２は、無線端末１ビーコン送信インターバル２９０６、無線端末１ビーコン受信時間インターバル２９０８、無線端末１ユーザデータＴＸ／ＲＸインターバル２９１０およびＷＴ １サイレンスインターバル２９１２を含む。描画２９０４は、無線端末２ビーコン送信インターバル２９１４、無線端末２ビーコン受信時間インターバル２９１６、無線端末２ユーザデータＴＸ／ＲＸインターバル２９１８およびＷＴ２サイレンスインターバル２９２０を含む。  
無線端末２が、ＷＴ２ビーコン送信インターバル２９１４中にビーコン信号バーストを送信するとき、ＷＴ１はそのビーコン受信インターバル２９０８中にビーコン信号バーストを受信するであろうというようなそのタイミングを調節したことに注意すべきである。ユーザデータシグナリングのために用いられることができるユーザデータＴＸ／ＲＸ領域２９２２のオーバーラップする一部分があることにまた注意すべきである。このアプローチは、異なる無線端末について同じ基本的なタイミング構造を保持し、同期を実現するために、無線端末のタイミングのうちの１つの決定されたタイミングシフトを用いる。
【０１７２】
図３０の描画３０００は、別の一例となる実施形態に従うビーコン信号に基づいた２つの無線端末間の一例となる同期タイミングを図示する。描画３００４が、無線端末２に関するタイミング構造情報を含む一方、描画３００２は、無線端末１に関するタイミング構造情報を含む。描画３０００は、例えば、無線端末１からのビーコン信号を検出する無線端末２に基づいて、無線端末がタイミング同期した後に図２８に対応してもよい。描画３００２は、無線端末１ビーコン受信インターバル３００６、無線端末１ビーコン送信インターバル３００８、無線端末１ビーコン受信時間インターバル３０１０、無線端末１ユーザデータＴＸ／ＲＸインターバル３０１２およびＷＴ１サイレンスインターバル３０１４を含む。描画３００４は、無線端末２ビーコン受信インターバル３０１６、無線端末２ビーコン送信インターバル３０１８、無線端末２ビーコン受信時間インターバル３０２０、無線端末２ユーザデータＴＸ／ＲＸインターバル３０２２およびＷＴ２サイレンスインターバル３０２４を含む。無線端末２が、ＷＴ２ビーコン送信インターバル３０１８中にビーコン信号バーストを送信するとき、ＷＴ１はそのビーコン受信インターバル３０１０中にビーコン信号バーストを受信するであろうというようなそのタイミングを調節したことに注意すべきである。  
また、この実施形態では、無線端末２のタイミング調整の後に、無線端末２は、そのビーコン受信インターバル３０１６中の無線端末１ビーコン送信インターバル３００８中に無線端末１によって送信されたビーコンバーストを受信する。ユーザデータシグナリングのために用いられることができるユーザデータＴＸ／ＲＸ領域３０２６のオーバーラップする一部分があることにまた注意すべきである。このアプローチは、異なる無線端末について同じ基本的なタイミング構造を保持し、同期を実現するために、無線端末のタイミングのうちの１つの決定されたタイミングシフトを用い、また、両方の無線端末は、同期に続く現行の基底で、互いからビーコン信号バーストを受信することができる。
【０１７３】
図３１の描画３１００は、別の一例となる実施形態に従うビーコン信号に基づいた２つの無線端末間の一例となる同期タイミングを図示する。描画３１０４が、無線端末２に関するタイミング構造情報を含む一方、描画３１０２は、無線端末１に関するタイミング構造情報を含む。描画３１００は、例えば、無線端末１からのビーコン信号を検出する無線端末２に基づいて、無線端末がタイミング同期した後に図２８に対応してもよい。描画３１０２は、無線端末１ビーコン送信インターバル３１０６、無線端末１ビーコン受信時間インターバル３１０８、無線端末１ユーザデータＴＸ／ＲＸインターバル３１１０およびＷＴ１サイレンスインターバル３１１２を含む。描画３１０４は、無線端末２ビーコン送信インターバル３１１４、無線端末２ビーコン受信時間インターバル３１１６、無線端末２ユーザデータＴＸ／ＲＸインターバル３１１８およびＷＴ２サイレンスインターバル３１２０を含む。  
無線端末２が、ＷＴ２ビーコン送信インターバル３１１６中にビーコン信号バーストを送信するとき、ＷＴ１はそのビーコン受信インターバル３１０８中にビーコン信号バーストを受信するようなそのタイミングを調節したことに注意すべきである。また、この実施形態では、無線端末２のタイミング調整の後に、無線端末２は、そのビーコン受信インターバル３１１４中の無線端末１ビーコン送信インターバル３１０６中に無線端末１によって送信されたビーコンバーストを受信する。ユーザデータＴＸ／ＲＸインターバル３１１０、３１１８がオーバーラップすることにもまた注意すべきである。このアプローチは、２つの無線端末（例えば、他のビーコンの最初の検出を行ってその内部タイミングを調整する無線端末（例えば、描画３１０４のインターバル順序付けを用いるＷＴ２））に関して異なるタイミング構造を用いる。いくつかのそのような場合では、無線端末２が通信セッションを終了し、ビーコン信号送信を含む非アクティブ状態に入る際、無線端末２は、描画３１０２によって表わされる順序付けされたタイミングシーケンスに進む。
【０１７４】
図３２は、別の実施形態に従う一例となる伝送ブロックを描く描画３２００および３２５０を含む。分離した伝送ブロックとしてここに記述され描かれているが、描画３２００および３２５０の送信ブロックは、いくつかの実施形態においてともに単一の送信ブロックとしてみなされてもよく、例えば、送信ブロックが互いに隣接している。図３２に描かれる実施形態によれば、ピアツーピアネットワークにおいて情報交換のためのロバストなスキームが提供され、それは半二重の無線端末には特に有益である。例えば、ここで説明された手法は、上に説明されたピア検出および発見の動作を向上させるために用いられてもよい。ここで説明された手法はまた、ユーザスケジューリングおよび直交連結ＩＤ生成を含む他の通信のためのデータ交換を特に向上させるために用いられてもよい。
【０１７５】
描画３２００は、第１送信ブロックインターバル３２０８を描き、描画３２５０は第２送信ブロックインターバル３２５８を描き、説明３２０２は描画３２００に対応し、説明３２５２は描画３２５０に対応し、縦軸３２０４および３２５４は周波数、例えばＯＦＤＭトーンを示し、インデックスおよび横軸３２０６および３２５６は、送信ブロックインターバル３２０８および３２５８内での送信ユニット時間インデックスをそれぞれ表す。
【０１７６】
図３２に示される実施形態に従って、各無線端末は、２つの異なる時間シンボル（または送信ユニット時間インデックス）の少なくとも２つのトーンを送信するために構成され、大部分で、２つの送信のうちの１つは同じ時間シンボル（または送信ユニット時間インデックス）を共有する。描画３２００を参照すると、無線端末Ａは、第１送信ブロックインターバル３２０８中に周波数インデックス＝５および時間インデックス＝１で、ビーコンシンボルのようなＷＴ Ａ送信ブロック３２１０によって表わされる第１送信シンボル、第２送信ブロックインターバル３２５８中に周波数インデックス＝１および時間インデックス＝５で、ＷＴ Ａ送信ブロック３２６０によって表わされる第２送信シンボルを送信する。  
例えば、第１送信シンボルおよび第２送信シンボルは、ビーコンデータのような情報またはデータを運ぶ。同様に、無線端末Ｂは、第１送信ブロックインターバル３２０８中に周波数インデックス＝７および時間インデックス＝１で、ＷＴ Ｂ送信ブロック３２１２によって表わされる第１送信シンボル、第２送信ブロックインターバル３２５８中に周波数インデックス＝１および時間インデックス＝７で、ＷＴ Ｂ送信ブロック３２６２によって表わされる第２送信シンボルを送信する。この例で図示されるように、（ＷＴ  Ａがその同じ時間インデックスでその第１送信シンボル３２１０を送信していたので）たとえＷＴ  Ｂの第１送信シンボル３２１２を受信することができなかったとしても、ＷＴ  Ａは、ＷＴ  Ｂの第２送信シンボル３２６２によって運ばれた情報を受信することができる。同様に、ＷＴ  Ｂは、たとえＷＴ  Ａの第１送信シンボル３２１０を受信することができなかったとしても、ＷＴ  Ａの第２送信シンボル３２６０によって運ばれた情報を受信できる。
【０１７７】
別の例として、図３３は、３つの無線アクセス端末Ａ、ＢおよびＣを含む別の実施形態に従う一例となる送信ブロックを描く描画３３００および３３５０を含む。図３２と共に上記に説明されるように、ここに説明される手法が、ユーザスケジューリングおよび直交連結ＩＤ生成を含む他の通信のためのデータ交換を特に向上させるために用いられてもよい。上述したように、分離伝送ブロックとしてここに記述されおよび描かれたが、描画３３００および３３５０の送信ブロックは、いくつかの実施形態において、例えば、送信ブロックが互いに隣接している場合に、単一の送信ブロックとしてともにみなされてもよい。
【０１７８】
描画３３００は、第１送信ブロックインターバル３３０８を表し、描画３３５０は第２送信ブロックインターバル３３５８を表し、説明３３０２は描画３３００に対応し、説明３３５２は描画３３５０に対応し、縦軸３３０４および３３５４は周波数（例えば、ＯＦＤＭトーン）を表し、インデックスおよび横軸３３０６および３３５６は、送信ブロックインターバル３３０８および３３５８内の送信ユニット時間インデックスをそれぞれ表す。
【０１７９】
図３３に示される実施形態に従って、各無線端末は、２つの異なる時間シンボル（または送信ユニット時間インデックス）の少なくとも２つのトーンを送信するために構成され、大部分で、２つの送信のうちの１つは同じ時間シンボル（または送信ユニット時間インデックス）を共有する。描画３３００を参照すると、無線端末Ａは、第１送信ブロックインターバル３３０８中に周波数インデックス＝３および時間インデックス＝１で、ビーコンシンボルのようなＷＴ Ａ送信ブロック３３１０によって表わされる第１送信シンボル、第２送信ブロックインターバル３３５８中に周波数インデックス＝１および時間インデックス＝３で、ＷＴ Ａ送信ブロック３３６０によって表わされる第２送信シンボルを送信する。  
例えば、第１送信シンボルおよび第２送信シンボルは、ビーコンデータのような情報またはデータを運ぶ。同様に、無線端末Ｂは、第１送信ブロックインターバル３３０８中に周波数インデックス＝３および時間インデックス＝３で、ＷＴ Ｂ送信ブロック３３１２によって表わされる第１送信シンボル、第２送信ブロックインターバル３３５８中に周波数インデックス＝３および時間インデックス＝３で、ＷＴ Ｂ送信ブロック３３６２によって表わされる第２送信シンボルを送信する。無線端末Ｃは、第１送信ブロックインターバル３３０８中に周波数インデックス＝７および時間インデックス＝３で、ＷＴ Ｂ送信ブロック３３１４によって表わされる第１送信シンボル、第２送信ブロックインターバル３３５８中に周波数インデックス＝３および時間インデックス＝７で、ＷＴ  Ｂ送信ブロック３３６４によって表わされる第２送信シンボルを送信する。
【０１８０】
この例で示されるように、（ＷＴ Ａがその同じ時間インデックス＝３でその第２送信シンボルを送信していたので）たとえＷＴ Ｂの第２送信シンボル３３６２を受信することができなかったとしても、ＷＴ Ａは、ＷＴ Ｂの第１送信シンボル３３１２によって運ばれた情報を受信することができる。ＷＴ Ａは、ＷＴ Ｃの第１および第２送信シンボル３３１４および３３６４を受信することができる。
【０１８１】
図３３を続けると、ＷＴ Ｂは、ＷＴ Ａの第２送信シンボル３３６０を受信することができないにもかかわらず、ＷＴ Ａの第１送信シンボル３３１０によって運ばれた情報を受信することができる。ＷＴ Ｂは、ＷＴ Ｃの第１送信シンボル３３１４を受信することができないにもかかわらず、ＷＴ Ｃの第２送信シンボル３３６４によって運ばれた情報を受信することができる。ＷＴ Ｃは、ＷＴ Ａの第１および第２送信シンボル３３１０および３３６０を受信することができる。ＷＴ Ｃは、ＷＴ Ｂの第１送信シンボル３３１２を受信することができないにもかかわらず、ＷＴ Ｂの第２送信シンボル３３６２によって運ばれた情報を受信することができる。
【０１８２】
図３２および３３の上記に説明された一例では、無線端末は２つの異なる時間シンボル（または送信ユニット時間インデックス）で少なくとも２つのトーンを送信するように構成され、大部分で、２つの送信のうちの１つは、第１送信シンボルは、位置（ｉ、ｊ）に対応し、第２送信シンボルは位置（ｊ，ｉ）に対応するような、第１送信ブロックインターバルと第２送信ブロックインターバルとの間で周波数インデックスおよび時間インデックスを入れ替えることによって、同じ時間シンボル（または送信ユニット時間インデックス）を共有する。他のアルゴリズムは、せいぜい２つの送信のうちの１つが同じ時間シンボルを共有するという要求を満たすために、代替となる実施形態において用いられてもよい。それは例えば、第１および第２ブロックが時間に関して交互に配置されうること、または、各ブロックの行が任意のやり方で順序を変えられうることを含んでいる。
【０１８３】
第１および第２の送信ブロックインターバルにおける２重の情報を送信することにより、図３２および３３と共に記述された手法がオーバーヘッドを増加することに留意すべきである。しかし、その手法は、ピアツーピアシステムにおける情報交換の可能性を非常に向上することにより、所望のロバスト性を提供する。それゆえ、ビーコン信号、ユーザスケジューリングデータなどを交換する能力はかなり改善され、その結果デバイス検出および発見、ユーザトラフィックスケジューリングおよび全体のユーザ経験を改善する。図３２および３３に併せて記述された手法によって提供される別の利益は、２つのブロック（第１送信ブロックインターバルにおける第１隣接および第２送信ブロックインターバルにおける異なる第２隣接）において、デバイスが隣接の２つの異なるセットと位置を共有するので、非感知（desensing）（雑音干渉）確率が減少するということである。
【０１８４】
別の実施形態に従って、ピアツーピアネットワークにおける情報交換のための周波数および時間スロット割当て（「時間シンボル」および「時間インデックス」とも呼ばれる）を割り当てるためのロジックは、図３４の描画３４００および図３５の３５００と併せて記述される。図３４では、縦軸３４０４は、無線ネットワーク内のＫノードを表し、横軸３４０６は、Ｋノード内の半二重ノード（ＡおよびＢ）のペアごとに関して次の基準を満たすために必要とされる時間スロットＴを表す。（１）少なくとも一度、Ａが送信しかつＢがサイレントである。および、（２）少なくとも一度、Ｂが送信しかつＡがサイレントである。
【０１８５】
例えば、上述したように、情報交換について半二重ノードの上記基準を満たすことは、ピア検出および発見の動作を向上させる。ここで説明された技術はまた、ユーザスケジューリングおよび直交連結ＩＤ生成を含む他の通信のためのデータ交換を特に向上させるために用いられてもよい。
【０１８６】
利用可能な周波数リソース数（例えば、ビーコンタイプの信号が用いられる場合は、直交トーン）はＮｆで表され、ここでＮｆ≧２であり、上記に定義された基準を満たすために必要とされるタイムスロットＴ数は、少なくとも  
Ｔ≧（２Ｋ／Ｎｆ）        式（１）  
であることが示されうる。
【０１８７】
特別な場合では、（図３２および３３と併せて議論されるように）Ｋ＝Ｎｆであり、式（１）の下限は次のように表現することができる。
【数１】
2010533427.tif 000003
【０１８８】
言い換えると、図３２および３３に示されるスキームは、メッセージ交換を完了するのに必要とされる時間シンボルのできるだけ最小数を実現し、それゆえこの特別な場合において最適となる。
【０１８９】
しかし、より一般的な場合では、ＫはＮｆと等しくてもよいし、等しくなくてもよい。
【０１９０】
式（１）に示される境界は、必ずしも厳しくはない。このより一般的な場合におけるタイムスロット割当ての考察は以下に続く。
【０１９１】
一実施形態に従って、情報交換に関して上記に識別された条件を実現する一方、送信のための時間スロット数を削減するように、各ノードは、時間の半分を送信する。例えば、各ノードへのタイムスロットの割り当ては、交換情報の送信について半二重ノードに割り当てられたスロット数が（Ｔ／２）である「等しいウェイトコードワード」または等しいウェイトのバイナリワードを採用して作られる。一実施形態によれば、等しいウェイトのバイナリワードを採用するＫノードの半二重ノード（ＡおよびＢ）の情報交換のために上記に定義された基準を満たすために必要とされるタイムスロットＴ＊は、
【数２】
2010533427.tif 000004
【０１９２】
によって与えられる。ここで、ｌがタイムスロット数を表し、Ｋがそのときのノード数を表す。
【０１９３】
例えば、Ｋ＝２０の場合は、式（３）はＴ＊＝６を生じる。例として、Ｔ＊＝６の場合、図３４におけるノード“３”およびノード“６”への等しいウェイトのバイナリワードタイムスロット割り当ては、割り当て３４１０および割り当て３４１２によってそれぞれ表されることができ、ここでウェイトは（Ｔ＊／２）＝３である。割り当て３４１０では、ノード“３”はスロット２、３および４に割り当てられるとして示される。割り当て３４１２では、ノード“６”はスロット３、４および５を割り当てられる。割り当てられた時間スロット中に、ノードは、ネットワークの他のノードとの情報交換の目的のために、類似情報の少なくとも一部分を送信する。
【０１９４】
図３５は、各ノードがその信号を送信するために３つの時間シンボルを割り当てられる場合、２０のノード（またはユーザ）のための時間割り当ての一例となる構成を含むテーブル３５００を表現する。垂直インデックス３５０４はデバイスＩＤを表し、水平インデックス３５０６は各デバイスＩＤに割り当てられた時間スロット（または時間インデックス）を定義する。一実施形態において、テーブル３５００は、すべてのノードに記憶され、ノードがネットワークに参加する場合、デバイスはそのＩＤに基づいてノードに割り当てられた時間インデックスのセットを確認することができる。一例を挙げれば、デバイスは、ネットワークに参加する際、特定の近傍内で一般的にユニークであるそのＩＤを得ることができる。別の例によれば、ノードは、ネットワークにおいて既に他のノードと通信せずに、既知のデバイスＩＤ空間内でそのＩＤを確定的に得ることができる。  
図３５がノードへの周波数割り当てを含まないことに留意すべきである。ＣＤＭＡネットワークに関して、同じシンボルに割り当てられたノードは、例えば、ウォルシュコードのような異なる拡散符号定数（spreading signatures）を用いて、全帯域幅上のそれらの信号を送信する。この特別な場合では、３つまでのノードが、任意の時間シンボルについて同時に送信している。ＯＦＤＭネットワークについては、ノードは、それらのＩＤに基づくことができる直交周波数リソースを選択することができ、時間周波数割り当てテーブルに格納される。  
例として、図３６は、一実施形態に従う図３５の一例となるテーブル３５００に基づいた時間および周波数リソース割り当てを識別する一例となるテーブル３６００を表現する。テーブル３６００では、縦軸３６０４は周波数（例えばＯＦＤＭトーン）インデックスを定義し、横軸３６０６は送信ユニット時間インデックスを表す。テーブル３５００からのテーブル３６００の集団は単に例示しているだけであり、テーブル３６００の時間周波数割り当てにテーブル３５００のＩＤおよび時間割り当てをマッピングするための他の手法が用いられてもよいことに留意する。
【０１９５】
テーブル３５００のデバイスＩＤ１は、時間スロット４、５および６を割り当てられる。テーブル３６００では、デバイスＩＤ１は、周波数インデックス０、および時間スロット４、５および６が割り当てられる。図３５では、テーブル３５００のデバイスＩＤ２は、時間スロット３、５および６を割り当てられる。テーブル３６００では、デバイスＩＤ２は、時間スロット３に対して周波数インデックス０が割り当てられる。  
しかし、周波数インデックス０は、時間スロット５および６ついてデバイスＩＤ１に既に割り当てられている。従って、デバイスＩＤ２は、次に利用可能な周波数インデックス、つまりテーブル３６００における時間スロット５および６に対する周波数インデックス１を割り当てられる。図３５では、テーブル３５００のデバイスＩＤ３は時間スロット２、５および６を割り当てられる。テーブル３６００では、デバイスＩＤ３は時間スロット２に対して周波数インデックス０が割り当てられる。しかし、周波数インデックス０は、時間スロット５および６についてデバイスＩＤ１に既に割り当てられ、周波数インデックス１は、時間スロット５および６についてデバイスＩＤ２に既に割り当てられている。従って、デバイスＩＤ３は、次に利用可能な周波数インデックス、つまりテーブル３６００における時間スロット５および６に対する周波数インデックス２を割り当てられる。残りのデバイスＩＤ４−２０は、テーブル３６００へ同様にマッピングされる。
【０１９６】
特にこの実施形態では、ネットワークによって要求されるリソース（例えば、直交トーン）数は、Ｋ／２、（Ｋ＝６）であり、Ｔ＊が等しい値であるとき
【数３】
2010533427.tif 000005
【０１９７】
である。それゆえ、ある実施形態では、大部分の［Ｋ／２］トーンが無線ネットワークにおいて任意のＫノードのために用いられるように、スケジュールは変更されまたは定義されることができる。
【０１９８】
ある実施形態では、トーン数は、［Ｔ＊／２］未満のウェイトのバイナリワードを選択することによってさらに減らすことができ、その結果要求される周波数リソース数を減らす。一例として、Ｋ＝８４のノードがサポートされることになっている場合、Ｎｆ上の制約を仮定せずに、式（３）はＴ＊＝９スロットを生じる。等しいウェイトのバイナリワードを用いるアプローチでは、各ノードは、送信のために４つの時間スロットのユニークなセットを割り当てられ、要求されるリソース数（Ｎｆ）は少なくとも４２個のトーンである。この特定の場合において、３つのスロットだけ時間スロット数を減らすことによって、ネットワークは、
【数４】
2010533427.tif 000006
【０１９９】
のトーンだけを要して、
【数５】
2010533427.tif 000007
【０２００】
のノードに適応することができるだろう。
【０２０１】
コードワード（つまり、各ユーザに割り当てられた送信数）のウェイトの選択を調整することによって、情報交換のプロセスを終了するのに要求される時間スロット数は、要求されるトーン数（または周波数リソースのユニット）とバランスを取ることができる。例えば、一実施形態では、各ノードは、一度送信することを許可されると、Ｋの時間スロット（または時間シンボル）が要求される。対照的に、別の実施形態によれば、時間スロット（または、時間シンボル）数が式（３）によって最小化されて与えられる場合、各ノードはハーフレートコードで送信してもよい。したがって、Ｔの一般式は、
【数６】
2010533427.tif 000008
【０２０２】
によって与えられることができる。
【０２０３】
式（４）に従って、コードワードウェイトの選択は、リソースの効率的割り当てをもたらす（Ｎｆ／Ｋ）と大体等しい。
【０２０４】
ＯＦＤＭ ＴＤＤシステムのコンテキストに記述される一方、様々な実施形態の方法および装置は、多くの非ＯＦＤＭ、多くの非ＴＤＤシステムおよび／または多くの非セルラーシステムを含む広範囲の通信システムに適用可能である。
【０２０５】
ここに記述される様々な実施形態では、例えば、ビーコン信号を生成すること、ビーコン信号を送信すること、ビーコン信号を受信すること、ビーコン信号をモニタすること、受信ビーコン信号からの情報を再生すること、タイミング調整を決定すること、タイミング調整を実行すること、動作モードを変更すること、通信セッションを初期化することなど、１以上の方法に対応するステップを行う１以上のモジュールを用いて実装される。  
いくつか実施形態では、様々な特徴はモジュールを用いて実装される。そのようなモジュールは、ソフトウェア、ハードウェアまたはソフトウェアとハードウェアとの組み合わせを用いて実装されてもよい。上記の記述された方法または方法ステップの多くは、例えば、１以上のノードにおいて上記に記述された方法の一部分または全部を実装するための機械（例えば、追加ハードウェアと共にまたは追加ハードウェアなしの汎用コンピュータ）を制御するためのメモリデバイス（例えば、ＲＡＭ、フロッピー（登録商標）ディスクなど）のような機械読み取り可能な媒体に含まれるソフトウェアのような、機械実行可能な命令を用いて実装されることができる。１以上の一例となる実施形態では、記述された機能は、ハードウェア、ソフトウェア、ファームウェアまたはそれらの任意の組み合わせに実装されてもよい。ソフトウェアに実施される場合、機能は、１以上の命令またはコードとしてコンピュータ読み取り可能な媒体上に格納されまたは送信されてもよい。コンピュータ読み取り可能な媒体は、ある場所から別の場所へコンピュータプログラムの転送を容易にする任意の媒体を含む通信媒体およびコンピュータ記憶媒体の両方を含む。
【０２０６】
記憶媒体は、コンピュータによってアクセスされることができる任意の利用可能なメディアでもよい。一例として、そのようなコンピュータ読み取り可能な媒体は、ＲＡＭ、ＲＯＭ、ＥＥＰＲＯＭ、ＣＤ−ＲＯＭまたは他の電子ストレージ、光学ディスク記憶装置、磁気ディスク記憶装置または他の磁気記憶装置、または、データ構造または命令の形式に所望のプログラムコードを格納しまたは運ぶために用いられることができ、コンピュータによってアクセスされることができる任意の他の媒体を具備することができるが、限定されない。また、任意の接続は、コンピュータ読み取り可能な媒体と適切に呼ばれる。例えば、ソフトウェアが、デジタル加入者線（ＤＳＬ）、ツイストペア、光ファイバーケーブル、同軸ケーブルを用いる他のリモートソース、ウェブサイトまたはサーバから送信される場合、赤外線、無線およびマイクロ波のような他の無線技術は、媒体の定義に含まれる。  
ここで用いられるディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピーディスク、高解像度ＤＶＤ（ＨＤ−ＤＶＤ）およびブルーレイディスクを含み、ディスク（ｄｉｓｃ）がレーザーで光学的にデータを再生する一方、ディスク（ｄｉｓｋ）は通常は磁気的にデータを再生する。上記の組合せはまた、コンピュータ読み取り可能な媒体の範囲内で含まれているべきである。
【０２０７】
上記に記述された装置および方法の多数の追加的なバリエーションは、上記の詳細な説明を考慮して当業者に明白となるだろう。そのようなバリエーションは、範囲内で考慮されることになっている。様々な実施形態の装置および方法は、ＣＤＭＡ、直交周波数分割多重（ＯＦＤＭ）、および／またはアクセスノードとモバイルノードとの間の無線通信リンクを提供するために用いられてもよい通信手法の様々な他の種類とともに用いられてもよく、実際様々な実施形態では用いられる。ＯＦＤＭシステムでは、信号は、ビーコンタイプの信号に必ずしも制限されない。それらは、信号に含まれる情報量によって少なくとも決定される、周波数リソースのいくつでも占有することができる。ある実施形態では、アクセスノードは、ＯＦＤＭおよび／またはＣＤＭＡを用いてモバイルノードと通信リンクを確立する基地局として実装される。様々な実施形態では、モバイルノードは、様々な実施形態の方法を実装することについて、ノート型コンピュータ、パーソナルデータアシスタンス（ＰＤＡ）、または受信機／送信機回路およびロジックおよび／またはルーチンを含む他の携帯機器として実装される。
【図１】
2010533427.tif 000009
【図２】
2010533427.tif 000010
【図３】
2010533427.tif 000011
【図４】
2010533427.tif 000012
【図５】
2010533427.tif 000013
【図６】
2010533427.tif 000014
【図７】
2010533427.tif 000015
【図８】
2010533427.tif 000016
【図９】
2010533427.tif 000017
【図１０】
2010533427.tif 000018
【図１１】
2010533427.tif 000019
【図１２】
2010533427.tif 000020
【図１３】
2010533427.tif 000021
【図１４】
2010533427.tif 000022
【図１５】
2010533427.tif 000023
【図１６】
2010533427.tif 000024
【図１７】
2010533427.tif 000025
【図１８】
2010533427.tif 000026
【図１９】
2010533427.tif 000027
【図２０】
2010533427.tif 000028
【図２１】
2010533427.tif 000029
【図２２】
2010533427.tif 000030
【図２３】
2010533427.tif 000031
【図２４】
2010533427.tif 000032
【図２５】
2010533427.tif 000033
【図２６】
2010533427.tif 000034
【図２７】
2010533427.tif 000035
【図２８】
2010533427.tif 000036
【図２９】
2010533427.tif 000037
【図３０】
2010533427.tif 000038
【図３１】
2010533427.tif 000039
【図３２】
2010533427.tif 000040
【図３３】
2010533427.tif 000041
【図３４】
2010533427.tif 000042
【図３５】
2010533427.tif 000043
【図３６】
2010533427.tif 000044
【国際調査報告】
2010533427.tif 000045
2010533427.tif 000046
2010533427.tif 000047